(57)【要約】  ＧＮＳＳ受信機は、少なくとも第１のＧＮＳＳソースおよび第２のＧＮＳＳソースから入力シグナリングを受信するように構成される少なくとも１つのＧＮＳＳアンテナと、少なくとも１つのＧＮＳＳアンテナに結合され、複素中間シグナリングを取得するように入力シグナリングを処理するように構成されるＩ／Ｑミキサと、Ｉ／Ｑミキサに結合され、第１のリアル出力シグナリングを取得するために第１の周波数範囲に関して複素中間シグナリングをフィルタリングするように構成される第１の複素フィルタと、Ｉ／Ｑミキサに結合され、第２のリアル出力シグナリングを取得するために第２の周波数範囲に関して複素中間シグナリングをフィルタリングするように構成される第２の複素フィルタと、第１の複素フィルタおよび第２の複素フィルタに結合され、第１のリアル出力シグナリングと第２のリアル出力シグナリングとを組み合わせるように構成される、信号結合器とを含む。
2016517512.tif 000002
【特許請求の範囲】
【請求項１】
全地球的ナビゲーション衛星システム（ＧＮＳＳ）信号を処理するための方法であって、
少なくとも第１のＧＮＳＳソースおよび第２のＧＮＳＳソースから入力シグナリングを受信することと、
複素中間シグナリングを取得するために、同相（Ｉ）／直交（Ｑ）ミキサを介して前記入力シグナリングを処理することと、
第１の周波数範囲と関連付けられる第１の複素フィルタおよび第２の周波数範囲と関連付けられる第２の複素フィルタを介して前記複素中間シグナリングをフィルタリングし、これによって、第１のリアル出力シグナリングと第２のリアル出力シグナリングとをそれぞれ取得することと、
前記第１のリアル出力シグナリングと前記第２のリアル出力シグナリングとを組み合わせることによって、組み合わされたリアル出力シグナリングを生成することとを備える、方法。
【請求項２】
前記組み合わされたリアル出力シグナリングをベースバンド信号プロセッサに提供することをさらに備える、請求項１に記載の方法。
【請求項３】
前記組み合わされたリアル出力シグナリングを前記ベースバンド信号プロセッサに提供することが、前記組み合わされたリアル出力シグナリングを前記ベースバンド信号プロセッサのアナログデジタルコンバータ（ＡＤＣ）に提供することを備える、請求項２に記載の方法。
【請求項４】
前記第１の周波数範囲が、前記第１のＧＮＳＳソースから前記入力シグナリングが受信される周波数範囲を備え、前記第２の周波数範囲が、前記第２のＧＮＳＳソースから前記入力シグナリングが受信される周波数範囲を備える、請求項１に記載の方法。
【請求項５】
前記第１の周波数範囲および前記第２の周波数範囲が、システムのベースバンド周波数の反対側に位置し、互いに共役ではない、請求項４に記載の方法。
【請求項６】
前記フィルタリングすることが、
前記第１の複素フィルタを介して、前記第２の周波数範囲、および、前記システムのベースバンド周波数に関して前記第２の周波数範囲の反対側において、少なくとも第１のレベルの遮断を提供することと、
前記第２の複素フィルタを介して、前記第１の周波数範囲、および、前記システムのベースバンド周波数に関して前記第１の周波数範囲の反対側において、少なくとも第２のレベルの遮断を提供することとを備える、請求項５に記載の方法。
【請求項７】
前記第１の複素フィルタの出力と前記第２の複素フィルタの出力との周波数の重複が閾値以下となるように、遮断の前記第１のレベルと前記第２のレベルとを定めることをさらに備え、前記閾値が所望のフィルタ出力の信号品質の関数として選ばれる、請求項６に記載の方法。
【請求項８】
前記フィルタリングすることが、ローカル発振器（ＬＯ）の周波数において動作するように前記第１の複素フィルタと前記第２の複素フィルタとを構成することを備え、前記ＬＯの周波数が、前記第１の複素フィルタおよび前記第２の複素フィルタのそれぞれの出力の周波数応答が前記システムのベースバンド周波数において重複しないように選ばれる、請求項５に記載の方法。
【請求項９】
前記組み合わせることが、組み合わされた電流シグナリングを取得するために、前記第１のリアル出力シグナリングと前記第２のリアル出力シグナリングとを電流において組み合わせることを備える、請求項１に記載の方法。
【請求項１０】
トランスインピーダンス増幅器（ＴＩＡ）を介して、前記組み合わされた電流シグナリングを電圧シグナリングに変換することをさらに備える、請求項９に記載の方法。
【請求項１１】
前記組み合わせることが、
差動出力シグナリングを取得するために、前記第１のリアル出力シグナリングと前記第２のリアル出力シグナリングとを組み合わせることと、
前記差動出力シグナリングをシングルエンド出力シグナリングに変換することとを備える、請求項１に記載の方法。
【請求項１２】
前記第１のＧＮＳＳソースが第１の通信技術と関連付けられ、前記第２のＧＮＳＳソースが第２の通信技術と関連付けられる、請求項１に記載の方法。
【請求項１３】
前記第１の通信技術が全地球測位システム（ＧＰＳ）を備え、前記第２の通信技術がＧｌｏｎａｓｓを備える、請求項１１に記載の方法。
【請求項１４】
前記第１のＧＮＳＳソースが第１の周波数帯域と関連付けられ、前記第２のＧＮＳＳソースが第２の周波数帯域と関連付けられる、請求項１に記載の方法。
【請求項１５】
前記第１の周波数帯域がＬ１周波数帯域を備え、前記第２の周波数帯域がＬ２周波数帯域を備える、請求項１３に記載の方法。
【請求項１６】
コンカレントマルチシステム全地球的ナビゲーション衛星システム（ＧＮＳＳ）受信機であって、
少なくとも第１のＧＮＳＳソースおよび第２のＧＮＳＳソースから入力シグナリングを受信するように構成される少なくとも１つのＧＮＳＳアンテナと、
前記少なくとも１つのＧＮＳＳアンテナに通信可能に結合され、複素中間シグナリングを取得するために前記入力シグナリングを処理するように構成される、同相（Ｉ）／直交（Ｑ）ミキサと、
前記Ｉ／Ｑミキサに通信可能に結合され、第１のリアル出力シグナリングを取得するために第１の周波数範囲に関して前記複素中間シグナリングをフィルタリングするように構成される、第１の複素フィルタと、
前記Ｉ／Ｑミキサに通信可能に結合され、第２のリアル出力シグナリングを取得するために第２の周波数範囲に関して前記複素中間シグナリングをフィルタリングするように構成される、第２の複素フィルタと、
前記第１の複素フィルタおよび前記第２の複素フィルタに通信可能に結合され、前記第１のリアル出力シグナリングと前記第２のリアル出力シグナリングとを組み合わせることによって組み合わされたリアル出力シグナリングを生成するように構成される、信号結合器とを備える、受信機。
【請求項１７】
前記信号結合器が、ベースバンド信号プロセッサに通信可能に結合され、前記組み合わされたリアル出力シグナリングを前記ベースバンド信号プロセッサに提供するように構成される、請求項１６に記載の受信機。
【請求項１８】
前記第１の周波数範囲が、前記第１のＧＮＳＳソースから前記入力シグナリングが受信される周波数範囲を備え、前記第２の周波数範囲が、前記第２のＧＮＳＳソースから前記入力シグナリングが受信される周波数範囲を備える、請求項１６に記載の受信機。
【請求項１９】
前記第１の周波数範囲および前記第２の周波数範囲が、システムのベースバンド周波数の反対側に位置し、互いに共役ではない、請求項１８に記載の受信機。
【請求項２０】
前記第１の複素フィルタが、前記第２の周波数範囲、および、前記システムのベースバンド周波数に関して前記第２の周波数範囲の反対側において、少なくとも第１のレベルの遮断を提供するように構成され、
前記第２の複素フィルタが、前記第１の周波数範囲、および、前記システムのベースバンド周波数に関して前記第１の周波数範囲の反対側において、少なくとも第２のレベルの遮断を提供するように構成される、請求項１９に記載の受信機。
【請求項２１】
遮断の前記第１のレベルおよび前記第２のレベルが、前記第１の複素フィルタの出力と前記第２の複素フィルタの出力との周波数の重複が閾値以下となるように定められ、前記閾値が所望のフィルタ出力の信号品質の関数として選ばれる、請求項２０に記載の受信機。
【請求項２２】
前記第１の複素フィルタおよび前記第２の複素フィルタが、ローカル発振器（ＬＯ）の周波数に関して動作するように構成され、前記ＬＯの周波数が、前記第１の複素フィルタおよび前記第２の複素フィルタのそれぞれの出力の周波数応答が前記システムのベースバンド周波数において重複しないように選ばれる、請求項１９に記載の受信機。
【請求項２３】
前記信号結合器がさらに、前記第１のリアル出力シグナリングと前記第２のリアル出力シグナリングとを組み合わせることによって、組み合わされた出力電流シグナリングを生成するように構成される、請求項１６に記載の受信機。
【請求項２４】
前記信号結合器に通信可能に結合され、前記組み合わされた出力電流シグナリングを組み合わされた出力電圧シグナリングに変換するように構成される、トランスインピーダンス増幅器（ＴＩＡ）をさらに備える、請求項２３に記載の受信機。
【請求項２５】
前記信号結合器がさらに、前記第１のリアル出力シグナリングと前記第２のリアル出力シグナリングとを組み合わせることによって、差動出力シグナリングを生成するように構成され、
前記受信機がさらに、前記信号結合器に通信可能に結合され、前記差動出力シグナリングをシングルエンド出力シグナリングに変換するように構成される、変換段を備える、請求項１６に記載の受信機。
【請求項２６】
前記差動出力シグナリングが差動電流信号であり、
前記信号結合器に通信可能に結合され、前記差動電流信号を差動電圧信号に変換するように構成される、トランスインピーダンス増幅器（ＴＩＡ）をさらに備え、
前記変換段が、前記差動電圧信号をシングルエンド電圧信号に変換するように構成される電圧変換器を備える、請求項２５に記載の受信機。
【請求項２７】
前記差動出力シグナリングが差動電流信号であり、
前記変換段が、前記差動電流信号をシングルエンド電流信号に変換するように構成される電流結合器を備える、請求項２５に記載の受信機。
【請求項２８】
前記第１のＧＮＳＳソースが第１の通信技術と関連付けられ、前記第２のＧＮＳＳソースが第２の通信技術と関連付けられる、請求項１６に記載の受信機。
【請求項２９】
前記第１のＧＮＳＳソースが第１の周波数帯域と関連付けられ、前記第２のＧＮＳＳソースが第２の周波数帯域と関連付けられる、請求項１６に記載の受信機。
【請求項３０】
全地球的ナビゲーション衛星システム（ＧＮＳＳ）信号を受信するための装置であって、
少なくとも第１のＧＮＳＳソースおよび第２のＧＮＳＳソースから入力シグナリングを受信するように構成される少なくとも１つのＧＮＳＳアンテナと、
前記少なくとも１つのＧＮＳＳアンテナに通信可能に結合され、複素中間シグナリングを取得するために前記入力シグナリングを処理するように構成される、同相（Ｉ）／直交（Ｑ）ミキサと、
前記Ｉ／Ｑミキサに通信可能に結合され、第１の周波数範囲および第２の周波数範囲に関して前記複素中間シグナリングをフィルタリングし、これによって、第１のリアル出力シグナリングと第２のリアル出力シグナリングとをそれぞれ生成するための、フィルタ手段と、
前記第１のリアル出力シグナリングと前記第２のリアル出力シグナリングとを組み合わせることによって、組み合わされたリアル出力シグナリングを生成するための、前記フィルタ手段に通信可能に結合される結合器手段とを備える、装置。
【請求項３１】
前記結合器手段が、ベースバンド信号プロセッサに通信可能に結合され、前記組み合わされたリアル出力シグナリングを前記ベースバンド信号プロセッサに提供するための手段を備える、請求項３０に記載の装置。
【請求項３２】
前記第１の周波数範囲が、前記第１のＧＮＳＳソースから前記入力シグナリングが受信される周波数範囲を備え、前記第２の周波数範囲が、前記第２のＧＮＳＳソースから前記入力シグナリングが受信される周波数範囲を備える、請求項３０に記載の装置。
【請求項３３】
前記第１の周波数範囲および前記第２の周波数範囲が、システムのベースバンド周波数の反対側に位置し、互いに共役ではない、請求項３２に記載の装置。
【請求項３４】
前記フィルタ手段が、
前記第２の周波数範囲、および、前記システムのベースバンド周波数に関して前記第２の周波数範囲の反対側において、少なくとも第１のレベルの遮断を提供することによって、前記第１のリアル出力シグナリングを生成するための手段と、
前記第１の周波数範囲、および、前記システムのベースバンド周波数に関して前記第１の周波数範囲の反対側において、少なくとも第２のレベルの遮断を提供することによって、前記第２のリアル出力シグナリングを生成するための手段とを備える、請求項３３に記載の装置。
【請求項３５】
遮断の前記第１のレベルおよび前記第２のレベルが、前記第１の複素フィルタの出力と前記第２の複素フィルタの出力との周波数の重複が閾値以下となるように定められ、前記閾値が所望のフィルタ出力の信号品質の関数として選ばれる、請求項３４に記載の装置。
【請求項３６】
前記フィルタ手段がローカル発振器（ＬＯ）の周波数に関して動作し、前記ＬＯの周波数が、前記第１のリアル出力シグナリングを生成するための前記手段と前記第２のリアル出力シグナリングを生成するための前記手段のそれぞれの出力の周波数応答が前記システムのベースバンド周波数において重複しないように、選ばれる、請求項３４に記載の装置。
【請求項３７】
前記フィルタ手段が、第１の複素フィルタと第２の複素フィルタとを備え、前記第１の複素フィルタが前記第１のリアル出力シグナリングを生成するように構成され、前記第２の複素フィルタが前記第２のリアル出力シグナリングを生成するように構成される、請求項３０に記載の装置。
【請求項３８】
前記組み合わされたリアル出力シグナリングが出力電流シグナリングを備える、請求項３０に記載の装置。
【請求項３９】
前記結合器手段に通信可能に結合され、前記出力電流シグナリングを電圧シグナリングに変換するように構成される、トランスインピーダンス増幅器（ＴＩＡ）をさらに備える、請求項３８に記載の装置。
【請求項４０】
前記結合器手段が、
差動出力シグナリングを取得するために、前記第１のリアル出力シグナリングと前記第２のリアル出力シグナリングとを組み合わせるための手段と、
前記差動出力シグナリングをシングルエンド出力シグナリングに変換するための手段とを備える、請求項３０に記載の装置。
【請求項４１】
前記第１のＧＮＳＳソースが第１の通信技術と関連付けられ、前記第２のＧＮＳＳソースが第２の通信技術と関連付けられる、請求項３０に記載の装置。
【請求項４２】
前記第１のＧＮＳＳソースが第１の周波数帯域と関連付けられ、前記第２のＧＮＳＳソースが第２の周波数帯域と関連付けられる、請求項３０に記載の装置。
【発明の詳細な説明】
【背景技術】
【０００１】
[0001]ワイヤレス通信技術の進歩は今日のワイヤレス通信デバイスの多用性を大幅に高めた。これらの進歩により、ワイヤレス通信デバイスは、単純な携帯電話およびページャから、マルチメディアの記録および再生、イベントのスケジューリング、ワードプロセッシング、ｅコマースなどのような、多種多様な機能が可能な高性能なコンピューティングデバイスに進化することが可能になった。結果として、今日のワイヤレス通信デバイスのユーザは、従来は複数のデバイスまたはより大きい非ポータブル機器のいずれかを必要とした広範囲のタスクを、単一のポータブルデバイスから実行することが可能である。
【０００２】
[0002]様々なアプリケーションが、ワイヤレス通信デバイスの場所を特定し利用するように構成される。たとえば、ロケーションベースサービス（ＬＢＳ：location based service）は、デバイス上で実行されている１つまたは複数のアプリケーションに対する制御を行うために、関連付けられるデバイスの位置を活用する。ワイヤレス通信デバイスに関して実装されるＬＢＳ機能のアプリケーションは、とりわけ、個人用ナビゲーション、ソーシャルネットワーキング、コンテンツ（たとえば、広告、検索結果など）のターゲッティングを含む。モバイルデバイスの位置は、様々な技法を使用して推定される。デバイスの推定される場所は、全地球的ナビゲーション衛星システム（ＧＮＳＳ）または他の衛星測位システム（ＳＰＳ）、携帯電話ネットワークもしくは他のワイヤレスデータシステムのような地上の測位システムなどのような、１つまたは複数の通信システムの送信機からの信号に基づいて計算され得る。これらの計算の精度を上げるために、デバイスは、場所推定のために複数の通信システムから信号を取得して使用することが可能であり得る。
【発明の概要】
【０００３】
[0003]ＧＮＳＳ信号を処理するための方法の例は、少なくとも第１のＧＮＳＳソースおよび第２のＧＮＳＳソースから入力シグナリングを受信することと、複素中間シグナリングを取得するために同相（Ｉ）／直交（Ｑ）ミキサを介して入力シグナリングを処理することと、第１の周波数範囲と関連付けられる第１の複素フィルタおよび第２の周波数範囲と関連付けられる第２の複素フィルタを介して複素中間シグナリングをフィルタリングし、これによって、第１のリアル（real）出力シグナリングと第２のリアル出力シグナリングとをそれぞれ取得することと、第１のリアル出力シグナリングと第２のリアル出力シグナリングとを組み合わせることによって、組み合わされたリアル出力シグナリングを生成することとを含む。
【０００４】
[0004]本方法の実装形態は、以下の特徴の１つまたは複数を含み得る。本方法はさらに、組み合わされたリアル出力シグナリングをベースバンド信号プロセッサに提供することを含む。組み合わされたリアル出力シグナリングをベースバンド信号プロセッサに提供することは、組み合わされたリアル出力シグナリングをベースバンド信号プロセッサのアナログデジタルコンバータ（ＡＤＣ）に提供することを含む。第１の周波数範囲は、第１のＧＮＳＳソースから入力シグナリングが受信される周波数範囲を含み、第２の周波数範囲は、第２のＧＮＳＳソースから入力シグナリングが受信される周波数範囲を含む。第１の周波数範囲および第２の周波数範囲は、システムのベースバンド周波数の反対側に位置し、互いに共役ではない（not imaged）。フィルタリングすることは、第１の複素フィルタを介して、第２の周波数範囲、および、システムのベースバンド周波数に関して第２の周波数範囲の反対側において、少なくとも第１のレベルの遮断を提供することと、第２の複素フィルタを介して、第１の周波数範囲、および、システムのベースバンド周波数に関して第１の周波数範囲の反対側において、少なくとも第２のレベルの遮断を提供することとを含む。方法はさらに、第１の複素フィルタの出力と第２の複素フィルタの出力との周波数の重複が閾値以下となるように、遮断の第１のレベルと第２のレベルとを定めることを含み、閾値は所望のフィルタ出力の信号品質の関数として選ばれる。フィルタリングすることは、ローカル発振器（ＬＯ）の周波数において動作するように第１の複素フィルタと第２の複素フィルタとを構成することを含み、ＬＯの周波数は、第１の複素フィルタおよび第２の複素フィルタのそれぞれの出力の周波数応答がシステムのベースバンド周波数において重複しないように選ばれる。
【０００５】
[0005]同じく、または代替的に、本方法の実装形態は、以下の特徴の１つまたは複数を含み得る。組み合わせることは、組み合わされた電流シグナリングを取得するために、第１のリアル出力シグナリングと第２のリアル出力シグナリングとを電流において組み合わせることを含む。方法はさらに、トランスインピーダンス増幅器（ＴＩＡ）を介して、組み合わされた電流シグナリングを電圧シグナリングに変換することを含む。組み合わせることは、差動出力シグナリングを取得するために第１のリアル出力シグナリングと第２のリアル出力シグナリングとを組み合わせることと、差動出力シグナリングをシングルエンド出力シグナリングに変換することとを含む。第１のＧＮＳＳソースは第１の通信技術と関連付けられ、第２のＧＮＳＳソースは第２の通信技術と関連付けられる。第１の通信技術は全地球測位システム（ＧＰＳ）を含み、第２の通信技術はＧｌｏｎａｓｓを含む。第１のＧＮＳＳソースは第１の周波数帯域と関連付けられ、第２のＧＮＳＳソースは第２の周波数帯域と関連付けられる。第１の周波数帯域はＬ１周波数帯域を含み、第２の周波数帯域はＬ２周波数帯域を含む。
【０００６】
[0006]コンカレントマルチシステムＧＮＳＳ受信機の例は、少なくとも第１のＧＮＳＳソースおよび第２のＧＮＳＳソースから入力シグナリングを受信するように構成される少なくとも１つのＧＮＳＳアンテナと、少なくとも１つのＧＮＳＳアンテナに通信可能に結合され、複素中間シグナリングを取得するように入力シグナリングを処理するように構成されるＩ／Ｑミキサと、Ｉ／Ｑミキサに通信可能に結合され、第１のリアル出力シグナリングを取得するために第１の周波数範囲に関して複素中間シグナリングをフィルタリングするように構成される第１の複素フィルタと、Ｉ／Ｑミキサに通信可能に結合され、第２のリアル出力シグナリングを取得するために第２の周波数範囲に関して複素中間シグナリングをフィルタリングするように構成される第２の複素フィルタと、第１の複素フィルタおよび第２の複素フィルタに通信可能に結合され、第１のリアル出力シグナリングと第２のリアル出力シグナリングとを組み合わせることによって組み合わされたリアル出力シグナリングを生成するように構成される信号結合器とを含む。
【０００７】
[0007]受信機の実装形態は、以下の特徴の１つまたは複数を含み得る。信号結合器は、ベースバンド信号プロセッサに通信可能に結合され、組み合わされたリアル出力シグナリングをベースバンド信号プロセッサに提供するように構成される。第１の周波数範囲は、第１のＧＮＳＳソースから入力シグナリングが受信される周波数範囲を含み、第２の周波数範囲は、第２のＧＮＳＳソースから入力シグナリングが受信される周波数範囲を含む。第１の周波数範囲および第２の周波数範囲は、システムのベースバンド周波数の反対側に位置し、互いに共役ではない。第１の複素フィルタは、第２の周波数範囲、および、システムのベースバンド周波数に関して第２の周波数範囲の反対側において、少なくとも第１のレベルの遮断を提供するように構成され、第２の複素フィルタは、第１の周波数範囲、および、システムのベースバンド周波数に関して第１の周波数範囲の反対側において、少なくとも第２のレベルの遮断を提供するように構成される。遮断の第１のレベルおよび第２のレベルは、第１の複素フィルタの出力と第２の複素フィルタの出力との周波数の重複が閾値以下となるように定められ、閾値は所望のフィルタ出力の信号品質の関数として選ばれる。第１の複素フィルタおよび第２の複素フィルタは、ＬＯの周波数に関して動作するように構成され、ＬＯの周波数は、第１の複素フィルタおよび第２の複素フィルタのそれぞれの出力の周波数応答がシステムのベースバンド周波数において重複しないように選ばれる。
【０００８】
[0008]同じく、または代替的に、受信機の実装形態は、以下の特徴の１つまたは複数を含み得る。信号結合器はさらに、第１のリアル出力シグナリングと第２のリアル出力シグナリングとを組み合わせることによって、組み合わされた出力電流シグナリングを生成するように構成される。受信機はさらに、信号結合器に通信可能に結合され、組み合わされた出力電流シグナリングを組み合わされた出力電圧シグナリングに変換するように構成される、ＴＩＡを含む。信号結合器はさらに、第１のリアル出力シグナリングと第２のリアル出力シグナリングとを組み合わせることによって、差動出力シグナリングを生成するように構成され、受信機はさらに、信号結合器に通信可能に結合され、差動出力シグナリングをシングルエンド出力シグナリングに変換するように構成される、変換段を含む。差動出力シグナリングは差動電流信号であり、受信機はさらに、信号結合器に通信可能に結合され、差動電流信号を差動電圧信号に変換するように構成される、ＴＩＡを含み、変換段は、差動電圧信号をシングルエンド電圧信号に変換するように構成される電圧変換器を含む。差動出力シグナリングは差動電流信号であり、変換段は、差動電流信号をシングルエンド電流信号に変換するように構成される電流結合器を含む。
【０００９】
[0009]同じく、または代替的に、受信機の実装形態は、以下の特徴の１つまたは複数を含み得る。第１のＧＮＳＳソースは第１の通信技術と関連付けられ、第２のＧＮＳＳソースは第２の通信技術と関連付けられる。第１のＧＮＳＳソースは第１の周波数帯域と関連付けられ、第２のＧＮＳＳソースは第２の周波数帯域と関連付けられる。
【００１０】
[0010]ＧＮＳＳ信号を受信するための装置の例は、少なくとも第１のＧＮＳＳソースおよび第２のＧＮＳＳソースから入力シグナリングを受信するように構成される少なくとも１つのＧＮＳＳアンテナと、少なくとも１つのＧＮＳＳアンテナに通信可能に結合され、複素中間シグナリングを取得するように入力シグナリングを処理するように構成されるＩ／Ｑミキサと、Ｉ／Ｑミキサに通信可能に結合され、第１の周波数範囲および第２の周波数範囲に関して複素中間シグナリングをフィルタリングし、これによって第１のリアル出力シグナリングと第２のリアル出力シグナリングとをそれぞれ生成するための、フィルタ手段と、フィルタ手段に通信可能に結合され、第１のリアル出力シグナリングと第２のリアル出力シグナリングとを組み合わせることによって組み合わされたリアル出力シグナリングを生成するための、結合器手段とを含む。
【００１１】
[0011]本装置の実装形態は、以下の特徴の１つまたは複数を含み得る。結合器手段は、ベースバンド信号プロセッサに通信可能に結合され、組み合わされたリアル出力シグナリングをベースバンド信号プロセッサに提供するための手段を含む。第１の周波数範囲は、第１のＧＮＳＳソースから入力シグナリングが受信される周波数範囲を含み、第２の周波数範囲は、第２のＧＮＳＳソースから入力シグナリングが受信される周波数範囲を含む。第１の周波数範囲および第２の周波数範囲は、システムのベースバンド周波数の反対側に位置し、互いに共役ではない。フィルタ手段は、第２の周波数範囲、および、システムのベースバンド周波数に関して第２の周波数範囲の反対側において、少なくとも第１のレベルの遮断を提供することによって、第１のリアル出力シグナリングを生成するための手段と、第１の周波数範囲、および、システムのベースバンド周波数に関して第１の周波数範囲の反対側において、少なくとも第２のレベルの遮断を提供することによって、第２のリアル出力シグナリングを生成するための手段とを含む。遮断の第１のレベルおよび第２のレベルは、第１の複素フィルタの出力と第２の複素フィルタの出力との周波数の重複が閾値以下となるように定められ、閾値は所望のフィルタ出力の信号品質の関数として選ばれる。フィルタ手段はＬＯの周波数に関して動作し、ＬＯの周波数は、第１のリアル出力シグナリングを生成するための手段と第２のリアル出力シグナリングを生成するための手段のそれぞれの出力の周波数応答がシステムのベースバンド周波数において重複しないように、選ばれる。
【００１２】
[0012]同じく、または代替的に、装置の実装形態は、以下の特徴の１つまたは複数を含み得る。フィルタ手段は、第１の複素フィルタと第２の複素フィルタとを含み、第１の複素フィルタは第１のリアル出力シグナリングを生成するように構成され、第２の複素フィルタは第２のリアル出力シグナリングを生成するように構成される。組み合わされたリアル出力シグナリングは、出力電流シグナリングを含む。装置はさらに、結合器手段に通信可能に結合され、出力電流シグナリングを電圧シグナリングに変換するように構成される、ＴＩＡを含む。結合器手段は、差動出力シグナリングを取得するために第１のリアル出力シグナリングと第２のリアル出力シグナリングとを組み合わせるための手段と、差動出力シグナリングをシングルエンド出力シグナリングに変換するための手段とを含む。第１のＧＮＳＳソースは第１の通信技術と関連付けられ、第２のＧＮＳＳソースは第２の通信技術と関連付けられる。第１のＧＮＳＳソースは第１の周波数帯域と関連付けられ、第２のＧＮＳＳソースは第２の周波数帯域と関連付けられる。
【００１３】
[0013]本明細書で説明される項目および／または技法は、以下の機能の１つまたは複数、ならびに言及されていない他の機能を提供することができる。複数の信号ソースから受信される信号は、組み合わされたリアル信号として提供され、これにより、複素シグナリングを出力する受信機と比較して、受信機と関連付けられるピンの数が少なくなる。さらに、受信された信号は、本明細書で説明されるリアル信号の結合の結果として、単一のアナログデジタルコンバータ（ＡＤＣ）を使用してベースバンドにおいて処理されることが可能であり、これによって、回路全体のサイズを低減し、効率を上げる。一般に、本明細書のシステムおよび方法は、より小さくより小型のモバイル通信コンポーネントとデバイスとを生み出す能力をもたらす。他の機能が与えられてよく、本開示によるあらゆる実装形態が、論じられる機能のいずれか、ましてすべてを提供しなければならないとは限らない。さらに、上で述べられた効果は、述べられた手段以外の手段によって達成されることが可能であってよく、述べられた項目／技法は、必ずしも述べられた効果を生むとは限らない。
【図面の簡単な説明】
【００１４】
【図１】[0014]移動局のコンポーネントのブロック図。
【図２】[0015]ＧＮＳＳ受信機のブロック図。
【図３】[0016]リアルシグナリング出力を提供するコンカレントマルチシステム通信受信機のある実施形態のブロック図。
【図４】リアルシグナリング出力を提供するコンカレントマルチシステム通信受信機のある実施形態のブロック図。
【図５】リアルシグナリング出力を提供するコンカレントマルチシステム通信受信機のある実施形態のブロック図。
【図６】リアルシグナリング出力を提供するコンカレントマルチシステム通信受信機のある実施形態のブロック図。
【図７】[0017]図３に示されるマルチシステム受信機によって処理が行われる、例示的な通信周波数範囲を示す図。
【図８Ａ】図３に示されるマルチシステム受信機によって処理が行われる、例示的な通信周波数範囲を示す図。
【図８Ｂ】図３に示されるマルチシステム受信機によって処理が行われる、例示的な通信周波数範囲を示す図。
【図９】図３に示されるマルチシステム受信機によって処理が行われる、例示的な通信周波数範囲を示す図。
【図１０Ａ】図３に示されるマルチシステム受信機によって処理が行われる、例示的な通信周波数範囲を示す図。
【図１０Ｂ】図３に示されるマルチシステム受信機によって処理が行われる、例示的な通信周波数範囲を示す図。
【図１１】[0018]リアルシグナリング出力を提供するコンカレントマルチシステム通信受信機のある実施形態のブロック図。
【図１２】リアルシグナリング出力を提供するコンカレントマルチシステム通信受信機のある実施形態のブロック図。
【図１３】[0019]ＧＮＳＳ信号を処理するプロセスのブロックフロー図。
【発明を実施するための形態】
【００１５】
[0020]リアルシグナリング出力能力を伴う、ＧＮＳＳ受信機のようなコンカレントマルチシステム受信機を実装するためのシステムおよび方法が、本明細書で説明される。マルチシステムＧＮＳＳ受信機は、全地球測位システム（ＧＰＳ）、Ｇｌｏｎａｓｓ、北斗などのような複数のシステムからの受信された信号をフィルタリングおよび処理し、対応するＧＮＳＳ情報を複素信号の形式でベースバンドデジタルプロセッサに提供する。複素信号は、同相（Ｉ）成分と直交（Ｑ）成分からなり、各々が、差動シグナリングの場合は受信機の２つのピンを、またはシングルエンドシグナリングの場合は１つのピンを占有する。本明細書で説明される技法およびアーキテクチャは、ＧＮＳＳ受信機のような通信受信機のためのリアル（すなわち、非複素）シグナリング出力を提供する。このことは、受信機が、Ｉ信号とＱ信号の１つだけを介して受信された情報をベースバンドに提供することを可能にし、全体のピン数を減らし、より小さく、より小型でより効率的なシステムを可能にする。
【００１６】
[0021]本明細書で説明されるシステムおよび方法は、図１に示されるモバイルデバイス１００のような、１つまたは複数のモバイルデバイスを介して動作する。モバイルデバイス１００は、携帯情報端末（ＰＤＡ）、スマートフォン、ラップトップコンピュータもしくはデスクトップコンピュータもしくはタブレットコンピュータのようなコンピューティングデバイス、自動車用コンピューティングシステム、および／または、現在存在する、もしくは今後開発される任意の他の通信デバイスであってよく、またはこれらの機能を実装してよい。
【００１７】
[0022]モバイルデバイス１００は、ワイヤレスネットワークを通じてワイヤレスアンテナ１２２を介してワイヤレス信号１２３を送信および受信するワイヤレス送受信機１２１を含む。送受信機１２１は、ワイヤレス送受信機バスインターフェース１２０によってバス１０１に接続される。図１では別個のコンポーネントとして示されているが、ワイヤレス送受信機バスインターフェース１２０はまた、ワイヤレス送受信機１２１の一部であり得る。ここで、モバイルデバイス１００は、単一のワイヤレス送受信機１２１を有するものとして示されている。しかしながら、モバイルデバイス１００は代替的に、Ｗｉ−Ｆｉ（登録商標）、符号分割多元接続（ＣＤＭＡ）、Ｗｉｄｅｂａｎｄ  ＣＤＭＡ（ＷＣＤＭＡ（登録商標））、Ｌｏｎｇ  Ｔｅｒｍ  Ｅｖｏｌｕｔｉｏｎ（ＬＴＥ）、Ｂｌｕｅｔｏｏｔｈ（登録商標）などのような、複数の通信規格をサポートするために、複数のワイヤレス送受信機１２１とワイヤレスアンテナ１２２とを有し得る。
【００１８】
[0023]また、汎用プロセッサ１１１、メモリ１４０、デジタル信号プロセッサ（ＤＳＰ）１１２および／または（１つまたは複数の）専用プロセッサ（図示されず）が、全体的にまたは部分的にワイヤレス信号１２３を処理するために利用され得る。ワイヤレス信号１２３からの情報の記憶は、メモリ１４０またはレジスタ（図示されず）を使用して実行される。図１では１つの汎用プロセッサ１１１、ＤＳＰ  １１２、およびメモリ１４０のみが示されているが、これらのコンポーネントのいずれかのうちの２つ以上がモバイルデバイス１００によって使用され得る。汎用プロセッサ１１１、ＤＳＰ  １１２、およびメモリ１４０は、バス１０１に接続される。
【００１９】
[0024]モバイルデバイス１００はまた、ＧＮＳＳアンテナ１５８を介してＧＮＳＳ信号１５９を受信する、ＧＮＳＳ受信機１５５を含む。ＧＮＳＳ信号１５９は、ＧＮＳＳ衛星または他のソースから受信される。ＧＮＳＳ衛星は、単一のＧＮＳＳまたは複数のそのようなシステムと関連付けられ得る。モバイルデバイス１００によって利用され得るＧＮＳＳの例は、限定はされないが、ＧＰＳ、Ｇａｌｉｌｅｏ、Ｇｌｏｎａｓｓ、北斗（Ｃｏｍｐａｓｓ）などを含む。ＧＮＳＳ受信機１５５は、ＧＮＳＳ信号１５９を全体的にまたは部分的に処理し、モバイルデバイス１００の位置を決定するためにこれらのＧＮＳＳ信号１５９を使用する。ＧＮＳＳ受信機１５５が１つまたは複数のシステムからのＧＮＳＳ信号１５９を処理できる例示的な技法が、以下でさらに詳細に説明される。加えて、汎用プロセッサ１１１、メモリ１４０、ＤＳＰ  １１２および／または（１つまたは複数の）専用プロセッサ（図示されず）も、ＧＮＳＳ信号１５９を処理することおよび／またはモバイルデバイス１００の位置を計算することを支援するために利用され得る。ＧＮＳＳ信号１５９または他の位置信号からの情報の記憶は、メモリ１４０またはレジスタ（図示されず）を使用して実行される。
【００２０】
[0025]メモリ１４０は、機能を１つまたは複数の命令またはコードとして記憶する（１つまたは複数の）非一時的コンピュータ可読記憶媒体を含む。メモリ１４０を構成し得る媒体は、限定はされないが、ＲＡＭ、ＲＯＭ、ＦＬＡＳＨ、ディスクドライブなどを含む。メモリ１４０によって記憶された機能は、汎用プロセッサ１１１、（１つまたは複数の）専用プロセッサ、またはＤＳＰ  １１２によって実行される。したがって、メモリ１４０は、説明される機能をプロセッサ１１１および／またはＤＳＰ  １１２に実行させるように構成されたソフトウェア１７０（プログラミングコード、命令など）を記憶するプロセッサ可読メモリおよび／またはコンピュータ可読メモリである。代替的に、モバイルデバイス１００の１つまたは複数の機能は、ハードウェアで全体的にまたは部分的に実行され得る。
【００２１】
[0026]モバイルデバイスと関連付けられる技術が進化するにつれて、たとえば、６５ｎｍ以下の製造およびウェハレベルスケールパッケージングおよび他の同様の進化により、ピンの不足は関心が高まっている領域となっており、今後はより関心を集める領域となることが予想されている。現在、非システムオンチップ（ＳＯＣ）プラットフォームでは、ＩとＱの両方の中間周波数（ＩＦ）／ベースバンド（ＢＢ）信号が、ＢＢデジタルプロセッサに送られる。Ｉチャネル信号とＱチャネル信号の１つのみをＢＢデジタルプロセッサに対して有効にするアーキテクチャが、本明細書で説明される。ベースバンドおよび／またはローカル発振器（ＬＯ）の周波数を選択的に制御することによって、異なるシステムからの信号に対応する周波数帯域は重複が防がれる。リアル信号アーキテクチャが原因で、ならびにジャマーによる感知妨害を防ぐために、信号が受信される各システムに対して１つの複素フィルタが設けられる。これらのフィルタは、周波数帯域のそれぞれの共役周波数（image frequencies）において遮断を行う。その後、２つの複素フィルタの出力が、たとえば、電圧シグナリングのためのトランスインピーダンス増幅器（ＴＩＡ）または電流シグナリングのための電流バッファ（ＣＢ）のいずれかを通じて、組み合わされる。組み合わされた信号は、さらなる処理のためにＡＤＣに送られる。これらの先行する動作は、以下でさらに詳細に示され論じられる。
【００２２】
[0027]リアルシグナリング出力を伴うコンカレントマルチシステム通信受信機の例が、以下で説明される。様々な例が、ＧＰＳシステムおよびＧｌｏｎａｓｓシステムからの信号を受信し処理するＧＮＳＳ受信機の場合について与えられる。しかしながら、これらの例は非限定的であるものとして意図され、他のシステムおよび／またはアクセス技術も使用され得る。
【００２３】
[0028]図２は、アンテナ２０６と、フロントエンド（ＦＥ）コンポーネント２０８と、低雑音増幅器（ＬＮＡ）２１０と、バラン２１２と、直交ローカル発振器（ＬＯ）クロック２１４、電流バッファ（ＣＢ）２２０、トランスインピーダンス増幅器（ＴＩＡ）３３０、およびバンドパスフィルタ２３０を伴うＩ／Ｑミキサ２０２と、ドライバ２４０とを含む、ＧＮＳＳ受信機２００のある実装形態を示す。ドライバ２４０およびＴＩＡ  ３３０は別々に示されているが、ドライバ２４０は、単一のエンティティとしてＴＩＡ  ３３０に統合され得る。示されるように、２つの通信システム、ここでは第１のＧＮＳＳ（ＧＰＳ）および第２のＧＮＳＳ（Ｇｌｏｎａｓｓ）から信号が受信される。取得された入力信号は、両方のシステムに対応するＩ成分とＱ成分とを伴う組み合わされた複素信号を取得するために、Ｉ／Ｑミキサ２０２を介して処理される。これらの信号はさらに、信号をバッファリングするために、および／または、受信機２００の他のコンポーネントによる後続の処理のために信号を別様に調整するために、電流バッファ２２０を介して処理される。電流バッファ２２０による処理の後、バンドパスフィルタ２３０が、フィルタリングされた複素Ｉ／Ｑ信号を取得するために利用される。このフィルタリングされた信号のＩ成分とＱ成分の各々は、ベースバンドにおけるさらなる処理のためにドライバ２４０に別々に提供される。
【００２４】
[0029]図３は、本明細書で説明されるようなマルチシステム受信機３００の改善されたアーキテクチャの例を示す。受信機３００において、図２に関して上で示されたようなアンテナ２０６、ＦＥコンポーネント２０８、ＬＮＡ  ２１０、バラン２１２を介して複数の別個のソース（たとえば、異なる通信システム、周波数帯域または範囲など）から受信された入力信号は、受信機２００に関して上でさらに説明されたように、Ｉ／Ｑミキサ２０２および電流バッファ２２０を介して処理される。次に、得られた複素信号は、それぞれのシステムおよび／または受信機３００と関連付けられる他のソースから受信された信号を分離するために、別々の複素チャネル選択フィルタ３１０、３１２に渡される。複素フィルタ３１０、３１２は、シグナリングがそれぞれ関連付けられるソース（たとえば、システム、周波数帯域など）から受信される周波数範囲と関連付けられ、以下でさらに詳細に説明されるように、これらの周波数範囲に関して電流バッファ２２０によって与えられる複素信号をフィルタリングするように構成される。フィルタ３１０、３１２の結果は、各システムに対応する実数領域信号である。これらの得られたリアル信号は次いで、信号結合器３２０を通じて組み合わされる。ここで、信号結合器３２０は、ＴＩＡ  ３３０を通じて電圧に再び変換される、組み合わされた電流信号を生成する。その後、得られた実数領域電圧信号はベースバンドに提供される。各々の関連付けられるシステムに対応する複素フィルタ３１０、３１２を利用し、図３に示されるようにリアル信号出力を組み合わせることによって、２つのピンが受信された信号をベースバンドデジタルプロセッサに運ぶために利用され、これによって、信号の結合を伴わずに単一のバンドパスフィルタ２３０を利用する図２に示される受信機２００よりも、ピンの節約を提供する。信号結合器３２０は、ＴＩＡ（たとえば、電圧シグナリング入力および電流シグナリング出力のための）、電圧増幅器（たとえば、電圧シグナリング入力および出力のための）、電流バッファ（たとえば、電流シグナリング入力および出力のための）などの１つまたは複数を含んでよく、またはこれらの機能を実装してよい。さらに、１つまたは複数の増幅器、バッファ、および／またはエンティティが、組み合わされた信号がベースバンドに提供されるよりも前に組み合わされた信号をさらに処理するために、信号結合器３２０に加えて利用され得る。
【００２５】
[0030]図４は、実数領域出力信号をベースバンドに提供するために利用され得る、別の受信機４００を示す。図４に示されるように、受信機４００は、図３に示される受信機３００と設計が同様である。しかしながら、受信機３００とは対照的に、図４に示される受信機４００は、図３に示されるようなＴＩＡ  ３３０を介した電圧変換を伴わずに、信号結合器３２０から得られた電流信号をベースバンドＡＤＣに直接提供する。
【００２６】
[0031]図５は、図３に示される受信機３００と同様の方式で実数領域出力シグナリングをベースバンドに提供する、受信機５００の追加の例を示す。図３の受信機３００とは対照的に、受信機５００は、出力シグナリングをベースバンドＡＤＣに運ぶ前に、別々のＴＩＡ  ３３０の段とドライバ２４０の段とを利用する。
【００２７】
[0032]受信機３００、４００、５００の文脈で示される複素フィルタ３１０、３１２に関して、ＬＯの周波数は、複素フィルタ３１０、３１２のそれぞれの出力の周波数応答がシステムベースバンド周波数において重複しないように、複素フィルタ３１０、３１２による使用のために選ばれる。ＬＯ周波数の選択および複素フィルタの動作は、ＧＰＳソースおよびＧｌｏｎａｓｓソースからの信号を処理する図６のマルチシステムＧＮＳＳ受信機６００の例のために示される。ＧＮＳＳ受信機６００は、アンテナ２０６と、ＦＥコンポーネント２０８と、ＬＮＡ  ２１０と、バラン２１２と、ＬＯクロック２１４を伴うＩ／Ｑミキサ２０２と、電流バッファ２２０とを含み、これらの各々は上で説明されたように動作する。受信された入力信号のＧＰＳ成分およびＧｌｏｎａｓｓ成分が次いで、図３に関して上で説明されたのと同様の方式で、信号結合器３２０によって組み合わされＴＩＡ  ３３０によって電圧信号に変換される前に、複素フィルタ６１０および６１２における得られた複素信号からそれぞれ取得される。代替的に、複素フィルタ６１０、６１２の出力は、図４に示されるように信号結合器３２０のみに渡されてよく、図５に示されるように信号結合器３２０と別々のＴＩＡ  ３３０およびドライバ２４０とに渡されてよく、または任意の他の適切な出力段コンポーネントに渡されてよい。
【００２８】
[0033]ＧＰＳ信号とＧｌｏｎａｓｓ信号とを処理する際にＧＮＳＳ受信機６００によって利用されるベースバンド周波数応答関数の例が、図７、図８Ａ〜図８Ｂ、図９、および図１０Ａ〜図１０Ｂに示されている。他のソースからの信号も同様に処理され得る。以下の図で示される各々の事例では、ＧＰＳ帯域とＧｌｏｎａｓｓ帯域の両方のために複素フィルタリングが使用される。
【００２９】
[0034]まず図７を参照すると、Ｌ−１帯域のＧＰＳおよびＧｌｏｎａｓｓのアンテナ入力信号スペクトルの表現が示されている。ＧＰＳのＬ−１帯域信号は、約１５７５．４２ＭＨｚに中心がある周波数範囲を占有するが、ＧｌｏｎａｓｓのＬ−１帯域信号は、約１５９７ＭＨｚから約１６０７ＭＨｚの周波数範囲を占有する。所望の周波数応答は、それぞれのフィルタ６１０、６１２の１つまたは複数の特徴を修正することによって、および／または、ＬＯの周波数を設定することによって達成される。図７に示される例では、１５８２ＭＨｚというＬＯの周波数は、ＧＰＳフィルタの出力周波数がＬＯに対して約−７ＭＨｚとなり、一方でＧｌｏｎａｓｓの出力周波数がＬＯに対して約１５〜２５ＭＨｚにわたるように、選択される。フィルタ６１０、６１２は、十分な遮断、ここでは少なくとも約２０ｄＢの遮断が、ベースバンドおよび／またはＬＯの周波数に関して他方のフィルタの出力周波数の反対側において提供され、これによって、互いに共役であるフィルタ出力と関連付けられる性能の低下が無視できるように、構成される。この遮断は図８Ａに示されており、本明細書では受信機の遮断閾値と呼ばれる。
【００３０】
[0035]図８Ａは、信号の結合の前の、Ｌ１のＧＰＳ信号およびＧｌｏｎａｓｓ信号のための複素領域スペクトルを示す。ここで、ＧＰＳフィルタ６１０は、ベースバンドに対して約−１５〜−２５ＭＨｚにおいて上で説明されたような遮断を提供するが、Ｇｌｏｎａｓｓフィルタ６１２は、ベースバンドに対して約＋７ＭＨｚにおいて同様の遮断を提供する。複素フィルタ６１０、６１２の共役な周波数遮断特性（image frequency rejection properties）に加えて、複素フィルタ６１０、６１２が動作する異なる出力周波数が、２つのフィルタの出力がアナログ領域で組み合わされることを可能にする。Ｌ−１帯域の場合に複素フィルタ６１０、６１２から得られる実数領域の信号スペクトルが、図８Ｂに示される。
【００３１】
[0036]図９は、Ｌ−２帯域のＧＰＳおよびＧｌｏｎａｓｓのアンテナ入力信号スペクトルの表現を示す。ここで、ＧＰＳのＬ−２帯域信号は、約１２２７．６ＭＨｚに中心がある周波数範囲を占有するが、ＧｌｏｎａｓｓのＬ−２帯域信号は、約１２４５．８ＭＨｚに中心がある周波数範囲を占有する。図１０Ａに示されるように、それぞれのフィルタ６１０、６１２の１つまたは複数の特徴を修正することによって、および／またはＬＯの周波数を設定することによって、所望の周波数応答が、図８Ａ〜図８Ｂによって示されるのと同様の方式で、複素フィルタ６１０、６１２を介して達成される。ここで、ＬＯは１２３２ＭＨｚという周波数に設定され、これによって、ＧＰＳフィルタの出力はベースバンドに対して約−３．４〜−５．４ＭＨｚとなり、Ｇｌｏｎａｓｓフィルタの出力はベースバンドに対して約＋１０．８〜＋１６．８ＭＨｚとなる。フィルタ６１０、６１２は、Ｌ−１帯域について説明されたのと同様の遮断（たとえば、受信機の遮断閾値に対する）を、ベースバンドおよび／またはＬＯの周波数に関して他方のフィルタの出力周波数とは反対側において提供するように、Ｌ−２帯域の場合について構成される。ここで、ＧＰＳフィルタ６１０は、ベースバンドに対して＋５．４ＭＨｚにおいて少なくとも約２０ｄＢの遮断を提供するように構成され、Ｇｌｏｎａｓｓフィルタ６１２は、ベースバンドに対して−１０．８ＭＨｚにおいて少なくとも２０ｄＢの遮断を提供するように構成されるが、他の構成も使用され得る。Ｌ−２帯域の場合の複素フィルタ６１０、６１２の得られる実数領域信号スペクトルが、図１０Ｂによって示される。
【００３２】
[0037]図３に戻ると、複素フィルタ３１０、３１２のリアル出力信号がアナログ領域において組み合わされる。ここで、複素フィルタ３１０、３１２の出力は電流信号であり、ＴＩＡ  ３３０は、電圧信号がさらなる処理のためにベースバンドに提供されるように、（信号結合器３２０を介して組み合わされたような）複素フィルタの出力を電圧信号に変換する。他の実装形態も可能である。たとえば、複素フィルタ３１０、３１２の出力は代替的に電圧シンボルであってよく、この場合、電圧増幅器および／または他のコンポーネントがＴＩＡ  ３３０の代わりに使用され得る。
【００３３】
[0038]信号結合器３２０を介して結合した結果として、両方のフィルタ３１０、３１２の組み合わされた出力は、単一の信号ソースを介して、ベースバンドにおいて単一のアナログデジタルコンバータ（ＡＤＣ）に提供される。一般に、それぞれのシステムのための別々の複素フィルタを介して受信された情報を処理し、得られたフィルタ出力を組み合わせることによって、本発明のアーキテクチャは、図２に示されるような複素シグナリング出力とは対照的に、リアルシグナリング出力を提供する。また、ベースバンド処理と関連付けられる回路空間の低減、より少ないピン数、および他の利益が、上で説明されたように実現される。
【００３４】
[0039]図３において追加で示されるように、それぞれの入力ソースから得られる信号は、差動シグナリングを使用して受信機３００を通じて処理され、各信号は、差動ペア接続を使用して、受信機３００のコンポーネント間で運ばれる。各信号に対応する差動ペアは、相補的な信号成分、たとえば、正の成分と負の成分とを含む。代替的に、取得された信号は、シングルエンド（ＳＥ）シグナリングを使用して受信機３００を通って運ばれてよく、このとき、単一のビットコネクタが、基準、たとえばグラウンドまたは共通電圧に対する信号を搬送する。シングルエンド受信機のための共通電圧は、受信機３００、ベースバンド処理コンポーネント、および／または他のエンティティを含む関連付けられるデバイスの複数のコンポーネントの間で共有されてよく、これによって、さらなるピンの節約を可能にする。
【００３５】
[0040]図１１は、シングルエンドシグナリングの場合に受信機５００に関して上で説明された、複素フィルタリングとリアル信号の結合とを利用する、受信機１１００を示す。ここで、受信された入力信号は、図５の受信機５００に関して説明されたような差動信号として、受信機１１００を通じて処理される。図５に関して上で示されたように、ドライバ２４０の出力は、実数領域の差動電圧信号である。差動信号２４０は、シングルエンド変換段に対する追加の差分、ここではシングルエンド電圧変換器１１２０に対する差分を介して処理され、これは、ベースバンドＡＤＣへの単一のピンの出力をもたらす。
【００３６】
[0041]図１２は、シングルエンド出力シグナリングを提供するために受信機４００に関して上で説明された複素フィルタリングとリアル信号の結合とを利用する、受信機１２００を示す。ここで、信号結合器３２０がリアル領域の電流信号を生成するために複素フィルタ３１０、３１２の出力に対して動作した後で、この信号は、シングルエンドのリアル領域電流信号を取得するために、第２の信号結合器１２２０によって処理される。この信号は、図１２に示されるような電流信号としてベースバンドに直接渡されてよく、または代替的に、シングルエンド電流信号は、ＴＩＡ  ３３０（および任意選択でドライバ２４０）を通じて渡され、電圧信号としてベースバンドに送られてよい。
【００３７】
[0042]図１３を参照し、さらに図１〜図１２を参照すると、ＧＮＳＳ信号を処理するプロセス１３００は、示される段階を含む。しかしながら、プロセス１３００は一例にすぎず、限定的なものではない。プロセス１３００は、たとえば、段階を追加させ、削除させ、並べ替えさせ、組み合わせ、および／または同時に実行させることによって改変され得る。示され説明されたプロセス１３００へのさらに他の改変が可能である。
【００３８】
[0043]段階１３０２において、少なくとも第１のＧＮＳＳおよび第２のＧＮＳＳから入力シグナリングが（たとえば、モバイルデバイス１００または他のデバイスと関連付けられる受信機３００、４００、５００において）受信される。第１のＧＮＳＳおよび第２のＧＮＳＳは、限定はされないが、ＧＰＳ、Ｇｌｏｎａｓｓ、北斗などを含む、衛星通信技術を利用することができる。加えて、第１のＧＮＳＳおよび第２のＧＮＳＳは、異なる周波数帯域または範囲、たとえば、Ｌ１周波数帯域およびＬ２周波数帯域と関連付けられ得る。一般に、第１のＧＮＳＳおよび第２のＧＮＳＳは、同じもしくは異なる通信技術および／または同じもしくは異なる周波数帯域（たとえば、ＧＰＳ  Ｌ１帯域およびＧｌｏｎａｓｓ  Ｌ１帯域、ＧＰＳ  Ｌ１帯域およびＧＰＳ  Ｌ２帯域など）を利用することができる。入力シグナリング、さらには、プロセス１３００の後続の段階において生成されるシグナリングは、上で説明されたような差動シグナリングまたはシングルエンドシグナリングのいずれかであり得る。
【００３９】
[0044]段階１３０４において、段階１３０２において取得される入力シグナリングは、Ｉ／Ｑミキサ２０２を介して処理される。この処理の結果は、入力シグナリングの受信元の両方のシステムのための、共通の複素中間シグナリングである。図２〜図６に示されるように、複素中間シグナリングは、Ｉ成分とＱ成分とを含む。
【００４０】
[0045]段階１３０６において、段階１３０４において取得される複素中間シグナリングは、第１の複素フィルタ３１０および第２の複素フィルタ３１２を介してフィルタリングされる。ここで、第１の複素フィルタ３１０は第１の周波数範囲と関連付けられ、第２の複素フィルタ３１２は第２の周波数範囲と関連付けられる。図３〜図５に関して上で説明されたように、これらの周波数範囲は、第１の複素フィルタ３１０および第２の複素フィルタ３１２が動作するＬＯの周波数を選択することによって、構成される。具体的には、ＬＯの周波数は、それぞれの複素フィルタ３１０、３１２の出力の周波数応答がシステムのベースバンド周波数において重複しないように、システムのベースバンド周波数に対して選ばれる。結果として、第１の周波数範囲および第２の周波数範囲は、システムのベースバンド周波数の反対側に位置し、互いに共役ではない。この周波数構成は、第１の複素フィルタ３１０が、第２の周波数範囲、およびシステムのベースバンド周波数に関して第２の周波数範囲の反対側（たとえば、ｘ〜ｙ  ＭＨｚという第２の周波数範囲では、ベースバンドに対して＋ｘ〜ｙ  ＭＨｚおよび−ｘ〜ｙ  ＭＨｚ）において、第１の遮断を提供することを可能にし、さらに、第２の複素フィルタ３１２が、第１の周波数範囲、および、システムのベースバンド周波数に関して第１の周波数範囲の反対側において、第２の遮断を提供することを可能にする。第１の遮断および第２の遮断は、第１の複素フィルタ３１０の出力と第２の複素フィルタ３１２の出力との周波数の重複が所定の閾値を下回るように、十分大きく、閾値は所望のフィルタ出力の信号品質の関数として順次決定される。
【００４１】
[0046]段階１３０８において、第１の複素フィルタ３１０および第２の複素フィルタ３１２によって段階１３０６において生成される第１のリアル出力シグナリングおよび第２のリアル出力シグナリングは、組み合わされたリアル出力シグナリングを取得するために組み合わされる。段階１３０６において生成される第１のリアル出力シグナリングおよび第２のリアル出力シグナリングは、電圧信号（たとえば、図３、図５、および図１１に示されるような）または電流信号（たとえば、図４および図１２に示されるような）であり得る。組み合わせることおよび任意選択の追加の処理の後で、組み合わされたリアル出力シグナリングは、ベースバンドプロセッサに、ならびに／または、受信された信号に含まれる情報を記憶および／もしくは利用する他のエンティティに、提供される。
【００４２】
[0047]上で論じられた方法、システム、およびデバイスは例である。様々な代替的な構成は、様々な手順またはコンポーネントを適宜、省略し、置換し、または追加し得る。たとえば、代替的な方法では、段階は、上の議論とは異なる順序で実行されてよく、様々な段階が追加され、省略され、または組み合わせられてよい。また、いくつかの構成に関して説明された特徴は、様々な他の構成においては組み合わせられ得る。構成の異なる態様および要素が、同様にして組み合わせられ得る。また、技術は発展するので、要素の多くは例であり、本開示または特許請求の範囲を限定しない。
【００４３】
[0048]説明では、（実装形態を含む）例示的な構成の完全な理解を与えるように、具体的な詳細が与えられる。しかしながら、構成はこれらの具体的な詳細を伴わずに実践され得る。たとえば、構成を不明瞭にすることを避けるために、よく知られている回路、プロセス、アルゴリズム、構造、および技法は、不要な詳細を伴わずに示されている。この説明は、例示的な構成を与えるにすぎず、特許請求の範囲、適用性、または構成を限定しない。むしろ、構成の上記の説明は、説明された技法を実装することを可能にする説明を当業者に提供する。本開示の趣旨および範囲から逸脱することなく、要素の機能および構成において様々な変更が行われ得る。
【００４４】
[0049]構成は、流れ図またはブロック図として示されるプロセスとして説明されることがある。各々は動作を順次的なプロセスとして説明することがあるが、動作の多くは並行してまたは同時に実行され得る。加えて、動作の順序は並べ替えられ得る。プロセスは、図に含まれない追加のステップを有し得る。さらに、本方法の例は、ハードウェア、ソフトウェア、ファームウェア、ミドルウェア、マイクロコード、ハードウェア記述言語、またはこれらの任意の組合せによって実装され得る。ソフトウェア、ファームウェア、ミドルウェア、またはマイクロコードで実装されるとき、必要なタスクを実行するためのプログラムコードまたはコードセグメントは、記憶媒体のような非一時的コンピュータ可読媒体に記憶され得る。プロセッサは、説明されたタスクを実行し得る。
【００４５】
[0050]特許請求の範囲を含めて、本明細書で使用される場合、「のうちの少なくとも１つ」で終わる項目の列挙中で使用される「または」は、たとえば、「Ａ、Ｂ、またはＣのうちの少なくとも１つ」の列挙が、ＡまたはＢまたはＣまたはＡＢまたはＡＣまたはＢＣまたはＡＢＣ（すなわち、ＡおよびＢおよびＣ）、あるいは２つ以上の特徴をもつ組合せ（たとえば、ＡＡ、ＡＡＢ、ＡＢＢＣなど）を意味するような、選言的列挙を示す。
【００４６】
[0051]いくつかの例示的な構成を説明してきたが、様々な修正、代替的な構成、および等価物が、本開示の趣旨から逸脱することなく使用され得る。たとえば、上記の要素は、より大きいシステムのコンポーネントであってよく、このとき、他の規則が、本発明の適用例よりも優先されてよく、または本発明の適用例を別様に修正してよい。また、上記の要素が考慮される前に、考慮されている間に、または考慮された後に、いくつかのステップが行われ得る。したがって、上記の説明は特許請求の範囲を限定しない。
【図１】
2016517512.tif 000003
【図２】
2016517512.tif 000004
【図３】
2016517512.tif 000005
【図４】
2016517512.tif 000006
【図５】
2016517512.tif 000007
【図６】
2016517512.tif 000008
【図７】
2016517512.tif 000009
【図８Ａ】
2016517512.tif 000010
【図８Ｂ】
2016517512.tif 000011
【図９】
2016517512.tif 000012
【図１０Ａ】
2016517512.tif 000013
【図１０Ｂ】
2016517512.tif 000014
【図１１】
2016517512.tif 000015
【図１２】
2016517512.tif 000016
【図１３】
2016517512.tif 000017
【手続補正書】
【提出日】平成27年12月10日(2015.12.10)
【手続補正１】
【補正対象書類名】特許請求の範囲
【補正対象項目名】全文
【補正方法】変更
【補正の内容】
【特許請求の範囲】
【請求項１】
全地球的ナビゲーション衛星システム（ＧＮＳＳ）信号を処理するための方法であって、
少なくとも第１のＧＮＳＳソースおよび第２のＧＮＳＳソースから入力シグナリングを受信することと、
複素中間シグナリングを取得するために、同相（Ｉ）／直交（Ｑ）ミキサを介して前記入力シグナリングを処理することと、
第１の周波数範囲と関連付けられる第１の複素フィルタおよび第２の周波数範囲と関連付けられる第２の複素フィルタを介して前記複素中間シグナリングをフィルタリングし、これによって、第１のリアル出力シグナリングと第２のリアル出力シグナリングとをそれぞれ取得することと、
前記第１のリアル出力シグナリングと前記第２のリアル出力シグナリングとを組み合わせることによって、組み合わされたリアル出力シグナリングを生成することと、
を備える、方法。
【請求項２】
前記組み合わされたリアル出力シグナリングをベースバンド信号プロセッサに提供することをさらに備える、請求項１に記載の方法。
【請求項３】
前記組み合わされたリアル出力シグナリングを前記ベースバンド信号プロセッサに提供することが、前記組み合わされたリアル出力シグナリングを前記ベースバンド信号プロセッサのアナログデジタルコンバータ（ＡＤＣ）に提供することを備える、請求項２に記載の方法。
【請求項４】
前記第１の周波数範囲が、前記第１のＧＮＳＳソースから前記入力シグナリングが受信される周波数範囲を備え、前記第２の周波数範囲が、前記第２のＧＮＳＳソースから前記入力シグナリングが受信される周波数範囲を備える、請求項１に記載の方法。
【請求項５】
前記第１の周波数範囲および前記第２の周波数範囲が、システムのベースバンド周波数の反対側に位置し、互いに共役ではない、請求項４に記載の方法。
【請求項６】
前記フィルタリングすることが、
前記第１の複素フィルタを介して、前記第２の周波数範囲、および、前記システムのベースバンド周波数に関して前記第２の周波数範囲の反対側において、少なくとも第１のレベルの遮断を提供することと、
前記第２の複素フィルタを介して、前記第１の周波数範囲、および、前記システムのベースバンド周波数に関して前記第１の周波数範囲の反対側において、少なくとも第２のレベルの遮断を提供することとを備える、請求項５に記載の方法。
【請求項７】
前記第１の複素フィルタの出力と前記第２の複素フィルタの出力との周波数の重複が閾値以下となるように、遮断の前記第１のレベルと前記第２のレベルとを定めることをさらに備え、前記閾値が所望のフィルタ出力の信号品質の関数として選ばれる、請求項６に記載の方法。
【請求項８】
前記フィルタリングすることが、ローカル発振器（ＬＯ）の周波数において動作するように前記第１の複素フィルタと前記第２の複素フィルタとを構成することを備え、前記ＬＯの周波数が、前記第１の複素フィルタおよび前記第２の複素フィルタのそれぞれの出力の周波数応答が前記システムのベースバンド周波数において重複しないように選ばれる、請求項５に記載の方法。
【請求項９】
前記組み合わせることが、組み合わされた電流シグナリングを取得するために、前記第１のリアル出力シグナリングと前記第２のリアル出力シグナリングとを電流において組み合わせることを備える、請求項１に記載の方法。
【請求項１０】
トランスインピーダンス増幅器（ＴＩＡ）を介して、前記組み合わされた電流シグナリングを電圧シグナリングに変換することをさらに備える、請求項９に記載の方法。
【請求項１１】
前記組み合わせることが、
差動出力シグナリングを取得するために、前記第１のリアル出力シグナリングと前記第２のリアル出力シグナリングとを組み合わせることと、
前記差動出力シグナリングをシングルエンド出力シグナリングに変換することとを備える、請求項１に記載の方法。
【請求項１２】
前記第１のＧＮＳＳソースが第１の通信技術と関連付けられ、前記第２のＧＮＳＳソースが第２の通信技術と関連付けられる、請求項１に記載の方法。
【請求項１３】
前記第１の通信技術が全地球測位システム（ＧＰＳ）を備え、前記第２の通信技術がＧｌｏｎａｓｓを備える、請求項１２に記載の方法。
【請求項１４】
前記第１のＧＮＳＳソースが第１の周波数帯域と関連付けられ、前記第２のＧＮＳＳソースが第２の周波数帯域と関連付けられる、請求項１に記載の方法。
【請求項１５】
前記第１の周波数帯域がＬ１周波数帯域を備え、前記第２の周波数帯域がＬ２周波数帯域を備える、請求項１４に記載の方法。
【請求項１６】
コンカレントマルチシステム全地球的ナビゲーション衛星システム（ＧＮＳＳ）受信機であって、
少なくとも第１のＧＮＳＳソースおよび第２のＧＮＳＳソースから入力シグナリングを受信するように構成される少なくとも１つのＧＮＳＳアンテナと、
前記少なくとも１つのＧＮＳＳアンテナに通信可能に結合され、複素中間シグナリングを取得するために前記入力シグナリングを処理するように構成される、同相（Ｉ）／直交（Ｑ）ミキサと、
前記Ｉ／Ｑミキサに通信可能に結合され、第１のリアル出力シグナリングを取得するために第１の周波数範囲に関して前記複素中間シグナリングをフィルタリングするように構成される、第１の複素フィルタと、
前記Ｉ／Ｑミキサに通信可能に結合され、第２のリアル出力シグナリングを取得するために第２の周波数範囲に関して前記複素中間シグナリングをフィルタリングするように構成される、第２の複素フィルタと、
前記第１の複素フィルタおよび前記第２の複素フィルタに通信可能に結合され、前記第１のリアル出力シグナリングと前記第２のリアル出力シグナリングとを組み合わせることによって組み合わされたリアル出力シグナリングを生成するように構成される、信号結合器とを備える、受信機。
【請求項１７】
前記信号結合器が、ベースバンド信号プロセッサに通信可能に結合され、前記組み合わされたリアル出力シグナリングを前記ベースバンド信号プロセッサに提供するように構成される、請求項１６に記載の受信機。
【請求項１８】
前記第１の周波数範囲が、前記第１のＧＮＳＳソースから前記入力シグナリングが受信される周波数範囲を備え、前記第２の周波数範囲が、前記第２のＧＮＳＳソースから前記入力シグナリングが受信される周波数範囲を備える、請求項１６に記載の受信機。
【請求項１９】
前記第１の周波数範囲および前記第２の周波数範囲が、システムのベースバンド周波数の反対側に位置し、互いに共役ではない、請求項１８に記載の受信機。
【請求項２０】
前記第１の複素フィルタが、前記第２の周波数範囲、および、前記システムのベースバンド周波数に関して前記第２の周波数範囲の反対側において、少なくとも第１のレベルの遮断を提供するように構成され、
前記第２の複素フィルタが、前記第１の周波数範囲、および、前記システムのベースバンド周波数に関して前記第１の周波数範囲の反対側において、少なくとも第２のレベルの遮断を提供するように構成される、請求項１９に記載の受信機。
【請求項２１】
遮断の前記第１のレベルおよび前記第２のレベルが、前記第１の複素フィルタの出力と前記第２の複素フィルタの出力との周波数の重複が閾値以下となるように定められ、前記閾値が所望のフィルタ出力の信号品質の関数として選ばれる、請求項２０に記載の受信機。
【請求項２２】
前記第１の複素フィルタおよび前記第２の複素フィルタが、ローカル発振器（ＬＯ）の周波数に関して動作するように構成され、前記ＬＯの周波数が、前記第１の複素フィルタおよび前記第２の複素フィルタのそれぞれの出力の周波数応答が前記システムのベースバンド周波数において重複しないように選ばれる、請求項１９に記載の受信機。
【請求項２３】
前記信号結合器がさらに、前記第１のリアル出力シグナリングと前記第２のリアル出力シグナリングとを組み合わせることによって、組み合わされた出力電流シグナリングを生成するように構成される、請求項１６に記載の受信機。
【請求項２４】
前記信号結合器に通信可能に結合され、前記組み合わされた出力電流シグナリングを組み合わされた出力電圧シグナリングに変換するように構成される、トランスインピーダンス増幅器（ＴＩＡ）をさらに備える、請求項２３に記載の受信機。
【請求項２５】
前記信号結合器がさらに、前記第１のリアル出力シグナリングと前記第２のリアル出力シグナリングとを組み合わせることによって、差動出力シグナリングを生成するように構成され、
前記受信機がさらに、前記信号結合器に通信可能に結合され、前記差動出力シグナリングをシングルエンド出力シグナリングに変換するように構成される、変換段を備える、請求項１６に記載の受信機。
【請求項２６】
前記差動出力シグナリングが差動電流信号であり、
前記信号結合器に通信可能に結合され、前記差動電流信号を差動電圧信号に変換するように構成される、トランスインピーダンス増幅器（ＴＩＡ）をさらに備え、
前記変換段が、前記差動電圧信号をシングルエンド電圧信号に変換するように構成される電圧変換器を備える、請求項２５に記載の受信機。
【請求項２７】
前記差動出力シグナリングが差動電流信号であり、
前記変換段が、前記差動電流信号をシングルエンド電流信号に変換するように構成される電流結合器を備える、請求項２５に記載の受信機。
【請求項２８】
前記第１のＧＮＳＳソースが第１の通信技術と関連付けられ、前記第２のＧＮＳＳソースが第２の通信技術と関連付けられる、請求項１６に記載の受信機。
【請求項２９】
前記第１のＧＮＳＳソースが第１の周波数帯域と関連付けられ、前記第２のＧＮＳＳソースが第２の周波数帯域と関連付けられる、請求項１６に記載の受信機。
【請求項３０】
全地球的ナビゲーション衛星システム（ＧＮＳＳ）信号を受信するための装置であって、
少なくとも第１のＧＮＳＳソースおよび第２のＧＮＳＳソースから入力シグナリングを受信するように構成される少なくとも１つのＧＮＳＳアンテナと、
前記少なくとも１つのＧＮＳＳアンテナに通信可能に結合され、複素中間シグナリングを取得するために前記入力シグナリングを処理するように構成される、同相（Ｉ）／直交（Ｑ）ミキサと、
前記Ｉ／Ｑミキサに通信可能に結合され、第１の周波数範囲および第２の周波数範囲に関して前記複素中間シグナリングをフィルタリングし、これによって、第１のリアル出力シグナリングと第２のリアル出力シグナリングとをそれぞれ生成するための、フィルタ手段と、
前記第１のリアル出力シグナリングと前記第２のリアル出力シグナリングとを組み合わせることによって、組み合わされたリアル出力シグナリングを生成するための、前記フィルタ手段に通信可能に結合される結合器手段とを備える、装置。
【請求項３１】
前記結合器手段が、ベースバンド信号プロセッサに通信可能に結合され、前記組み合わされたリアル出力シグナリングを前記ベースバンド信号プロセッサに提供するための手段を備える、請求項３０に記載の装置。
【請求項３２】
前記第１の周波数範囲が、前記第１のＧＮＳＳソースから前記入力シグナリングが受信される周波数範囲を備え、前記第２の周波数範囲が、前記第２のＧＮＳＳソースから前記入力シグナリングが受信される周波数範囲を備える、請求項３０に記載の装置。
【請求項３３】
前記第１の周波数範囲および前記第２の周波数範囲が、システムのベースバンド周波数の反対側に位置し、互いに共役ではない、請求項３２に記載の装置。
【請求項３４】
前記フィルタ手段が、
前記第２の周波数範囲、および、前記システムのベースバンド周波数に関して前記第２の周波数範囲の反対側において、少なくとも第１のレベルの遮断を提供することによって、前記第１のリアル出力シグナリングを生成するための手段と、
前記第１の周波数範囲、および、前記システムのベースバンド周波数に関して前記第１の周波数範囲の反対側において、少なくとも第２のレベルの遮断を提供することによって、前記第２のリアル出力シグナリングを生成するための手段とを備える、請求項３３に記載の装置。
【請求項３５】
遮断の前記第１のレベルおよび前記第２のレベルが、前記第１のリアル出力シグナリングを生成するための手段と前記第２のリアル出力シグナリングを生成するための手段のそれぞれの出力との周波数の重複が閾値以下となるように定められ、前記閾値が所望のフィルタ出力の信号品質の関数として選ばれる、請求項３４に記載の装置。
【請求項３６】
前記フィルタ手段がローカル発振器（ＬＯ）の周波数に関して動作し、前記ＬＯの周波数が、前記第１のリアル出力シグナリングを生成するための前記手段と前記第２のリアル出力シグナリングを生成するための前記手段のそれぞれの出力の周波数応答が前記システムのベースバンド周波数において重複しないように、選ばれる、請求項３４に記載の装置。
【請求項３７】
前記フィルタ手段が、第１の複素フィルタと第２の複素フィルタとを備え、前記第１の複素フィルタが前記第１のリアル出力シグナリングを生成するように構成され、前記第２の複素フィルタが前記第２のリアル出力シグナリングを生成するように構成される、請求項３０に記載の装置。
【請求項３８】
前記組み合わされたリアル出力シグナリングが出力電流シグナリングを備える、請求項３０に記載の装置。
【請求項３９】
前記結合器手段に通信可能に結合され、前記出力電流シグナリングを電圧シグナリングに変換するように構成される、トランスインピーダンス増幅器（ＴＩＡ）をさらに備える、請求項３８に記載の装置。
【請求項４０】
前記結合器手段が、
差動出力シグナリングを取得するために、前記第１のリアル出力シグナリングと前記第２のリアル出力シグナリングとを組み合わせるための手段と、
前記差動出力シグナリングをシングルエンド出力シグナリングに変換するための手段とを備える、請求項３０に記載の装置。
【請求項４１】
前記第１のＧＮＳＳソースが第１の通信技術と関連付けられ、前記第２のＧＮＳＳソースが第２の通信技術と関連付けられる、請求項３０に記載の装置。
【請求項４２】
前記第１のＧＮＳＳソースが第１の周波数帯域と関連付けられ、前記第２のＧＮＳＳソースが第２の周波数帯域と関連付けられる、請求項３０に記載の装置。
【手続補正２】
【補正対象書類名】明細書
【補正対象項目名】００４６
【補正方法】変更
【補正の内容】
【００４６】
[0051]いくつかの例示的な構成を説明してきたが、様々な修正、代替的な構成、および
等価物が、本開示の趣旨から逸脱することなく使用され得る。たとえば、上記の要素は、
より大きいシステムのコンポーネントであってよく、このとき、他の規則が、本発明の適
用例よりも優先されてよく、または本発明の適用例を別様に修正してよい。また、上記の
要素が考慮される前に、考慮されている間に、または考慮された後に、いくつかのステッ
プが行われ得る。したがって、上記の説明は特許請求の範囲を限定しない。
以下に、本願出願の当初の特許請求の範囲に記載された発明を付記する。
[Ｃ１]
全地球的ナビゲーション衛星システム（ＧＮＳＳ）信号を処理するための方法であって、
少なくとも第１のＧＮＳＳソースおよび第２のＧＮＳＳソースから入力シグナリングを受信することと、
複素中間シグナリングを取得するために、同相（Ｉ）／直交（Ｑ）ミキサを介して前記入力シグナリングを処理することと、
第１の周波数範囲と関連付けられる第１の複素フィルタおよび第２の周波数範囲と関連付けられる第２の複素フィルタを介して前記複素中間シグナリングをフィルタリングし、これによって、第１のリアル出力シグナリングと第２のリアル出力シグナリングとをそれぞれ取得することと、
前記第１のリアル出力シグナリングと前記第２のリアル出力シグナリングとを組み合わせることによって、組み合わされたリアル出力シグナリングを生成することとを備える、方法。
[Ｃ２]
前記組み合わされたリアル出力シグナリングをベースバンド信号プロセッサに提供することをさらに備える、Ｃ１に記載の方法。
[Ｃ３]
前記組み合わされたリアル出力シグナリングを前記ベースバンド信号プロセッサに提供することが、前記組み合わされたリアル出力シグナリングを前記ベースバンド信号プロセッサのアナログデジタルコンバータ（ＡＤＣ）に提供することを備える、Ｃ２に記載の方法。
[Ｃ４]
前記第１の周波数範囲が、前記第１のＧＮＳＳソースから前記入力シグナリングが受信される周波数範囲を備え、前記第２の周波数範囲が、前記第２のＧＮＳＳソースから前記入力シグナリングが受信される周波数範囲を備える、Ｃ１に記載の方法。
[Ｃ５]
前記第１の周波数範囲および前記第２の周波数範囲が、システムのベースバンド周波数の反対側に位置し、互いに共役ではない、Ｃ４に記載の方法。
[Ｃ６]
前記フィルタリングすることが、
前記第１の複素フィルタを介して、前記第２の周波数範囲、および、前記システムのベースバンド周波数に関して前記第２の周波数範囲の反対側において、少なくとも第１のレベルの遮断を提供することと、
前記第２の複素フィルタを介して、前記第１の周波数範囲、および、前記システムのベースバンド周波数に関して前記第１の周波数範囲の反対側において、少なくとも第２のレベルの遮断を提供することとを備える、Ｃ５に記載の方法。
[Ｃ７]
前記第１の複素フィルタの出力と前記第２の複素フィルタの出力との周波数の重複が閾値以下となるように、遮断の前記第１のレベルと前記第２のレベルとを定めることをさらに備え、前記閾値が所望のフィルタ出力の信号品質の関数として選ばれる、Ｃ６に記載の方法。
[Ｃ８]
前記フィルタリングすることが、ローカル発振器（ＬＯ）の周波数において動作するように前記第１の複素フィルタと前記第２の複素フィルタとを構成することを備え、前記ＬＯの周波数が、前記第１の複素フィルタおよび前記第２の複素フィルタのそれぞれの出力の周波数応答が前記システムのベースバンド周波数において重複しないように選ばれる、Ｃ５に記載の方法。
[Ｃ９]
前記組み合わせることが、組み合わされた電流シグナリングを取得するために、前記第１のリアル出力シグナリングと前記第２のリアル出力シグナリングとを電流において組み合わせることを備える、Ｃ１に記載の方法。
[Ｃ１０]
トランスインピーダンス増幅器（ＴＩＡ）を介して、前記組み合わされた電流シグナリングを電圧シグナリングに変換することをさらに備える、Ｃ９に記載の方法。
[Ｃ１１]
前記組み合わせることが、
差動出力シグナリングを取得するために、前記第１のリアル出力シグナリングと前記第２のリアル出力シグナリングとを組み合わせることと、
前記差動出力シグナリングをシングルエンド出力シグナリングに変換することとを備える、Ｃ１に記載の方法。
[Ｃ１２]
前記第１のＧＮＳＳソースが第１の通信技術と関連付けられ、前記第２のＧＮＳＳソースが第２の通信技術と関連付けられる、Ｃ１に記載の方法。
[Ｃ１３]
前記第１の通信技術が全地球測位システム（ＧＰＳ）を備え、前記第２の通信技術がＧｌｏｎａｓｓを備える、Ｃ１１に記載の方法。
[Ｃ１４]
前記第１のＧＮＳＳソースが第１の周波数帯域と関連付けられ、前記第２のＧＮＳＳソースが第２の周波数帯域と関連付けられる、Ｃ１に記載の方法。
[Ｃ１５]
前記第１の周波数帯域がＬ１周波数帯域を備え、前記第２の周波数帯域がＬ２周波数帯域を備える、Ｃ１３に記載の方法。
[Ｃ１６]
コンカレントマルチシステム全地球的ナビゲーション衛星システム（ＧＮＳＳ）受信機であって、
少なくとも第１のＧＮＳＳソースおよび第２のＧＮＳＳソースから入力シグナリングを受信するように構成される少なくとも１つのＧＮＳＳアンテナと、
前記少なくとも１つのＧＮＳＳアンテナに通信可能に結合され、複素中間シグナリングを取得するために前記入力シグナリングを処理するように構成される、同相（Ｉ）／直交（Ｑ）ミキサと、
前記Ｉ／Ｑミキサに通信可能に結合され、第１のリアル出力シグナリングを取得するために第１の周波数範囲に関して前記複素中間シグナリングをフィルタリングするように構成される、第１の複素フィルタと、
前記Ｉ／Ｑミキサに通信可能に結合され、第２のリアル出力シグナリングを取得するために第２の周波数範囲に関して前記複素中間シグナリングをフィルタリングするように構成される、第２の複素フィルタと、
前記第１の複素フィルタおよび前記第２の複素フィルタに通信可能に結合され、前記第１のリアル出力シグナリングと前記第２のリアル出力シグナリングとを組み合わせることによって組み合わされたリアル出力シグナリングを生成するように構成される、信号結合器とを備える、受信機。
[Ｃ１７]
前記信号結合器が、ベースバンド信号プロセッサに通信可能に結合され、前記組み合わされたリアル出力シグナリングを前記ベースバンド信号プロセッサに提供するように構成される、Ｃ１６に記載の受信機。
[Ｃ１８]
前記第１の周波数範囲が、前記第１のＧＮＳＳソースから前記入力シグナリングが受信される周波数範囲を備え、前記第２の周波数範囲が、前記第２のＧＮＳＳソースから前記入力シグナリングが受信される周波数範囲を備える、Ｃ１６に記載の受信機。
[Ｃ１９]
前記第１の周波数範囲および前記第２の周波数範囲が、システムのベースバンド周波数の反対側に位置し、互いに共役ではない、Ｃ１８に記載の受信機。
[Ｃ２０]
前記第１の複素フィルタが、前記第２の周波数範囲、および、前記システムのベースバンド周波数に関して前記第２の周波数範囲の反対側において、少なくとも第１のレベルの遮断を提供するように構成され、
前記第２の複素フィルタが、前記第１の周波数範囲、および、前記システムのベースバンド周波数に関して前記第１の周波数範囲の反対側において、少なくとも第２のレベルの遮断を提供するように構成される、Ｃ１９に記載の受信機。
[Ｃ２１]
遮断の前記第１のレベルおよび前記第２のレベルが、前記第１の複素フィルタの出力と前記第２の複素フィルタの出力との周波数の重複が閾値以下となるように定められ、前記閾値が所望のフィルタ出力の信号品質の関数として選ばれる、Ｃ２０に記載の受信機。
[Ｃ２２]
前記第１の複素フィルタおよび前記第２の複素フィルタが、ローカル発振器（ＬＯ）の周波数に関して動作するように構成され、前記ＬＯの周波数が、前記第１の複素フィルタおよび前記第２の複素フィルタのそれぞれの出力の周波数応答が前記システムのベースバンド周波数において重複しないように選ばれる、Ｃ１９に記載の受信機。
[Ｃ２３]
前記信号結合器がさらに、前記第１のリアル出力シグナリングと前記第２のリアル出力シグナリングとを組み合わせることによって、組み合わされた出力電流シグナリングを生成するように構成される、Ｃ１６に記載の受信機。
[Ｃ２４]
前記信号結合器に通信可能に結合され、前記組み合わされた出力電流シグナリングを組み合わされた出力電圧シグナリングに変換するように構成される、トランスインピーダンス増幅器（ＴＩＡ）をさらに備える、Ｃ２３に記載の受信機。
[Ｃ２５]
前記信号結合器がさらに、前記第１のリアル出力シグナリングと前記第２のリアル出力シグナリングとを組み合わせることによって、差動出力シグナリングを生成するように構成され、
前記受信機がさらに、前記信号結合器に通信可能に結合され、前記差動出力シグナリングをシングルエンド出力シグナリングに変換するように構成される、変換段を備える、Ｃ１６に記載の受信機。
[Ｃ２６]
前記差動出力シグナリングが差動電流信号であり、
前記信号結合器に通信可能に結合され、前記差動電流信号を差動電圧信号に変換するように構成される、トランスインピーダンス増幅器（ＴＩＡ）をさらに備え、
前記変換段が、前記差動電圧信号をシングルエンド電圧信号に変換するように構成される電圧変換器を備える、Ｃ２５に記載の受信機。
[Ｃ２７]
前記差動出力シグナリングが差動電流信号であり、
前記変換段が、前記差動電流信号をシングルエンド電流信号に変換するように構成される電流結合器を備える、Ｃ２５に記載の受信機。
[Ｃ２８]
前記第１のＧＮＳＳソースが第１の通信技術と関連付けられ、前記第２のＧＮＳＳソースが第２の通信技術と関連付けられる、Ｃ１６に記載の受信機。
[Ｃ２９]
前記第１のＧＮＳＳソースが第１の周波数帯域と関連付けられ、前記第２のＧＮＳＳソースが第２の周波数帯域と関連付けられる、Ｃ１６に記載の受信機。
[Ｃ３０]
全地球的ナビゲーション衛星システム（ＧＮＳＳ）信号を受信するための装置であって、
少なくとも第１のＧＮＳＳソースおよび第２のＧＮＳＳソースから入力シグナリングを受信するように構成される少なくとも１つのＧＮＳＳアンテナと、
前記少なくとも１つのＧＮＳＳアンテナに通信可能に結合され、複素中間シグナリングを取得するために前記入力シグナリングを処理するように構成される、同相（Ｉ）／直交（Ｑ）ミキサと、
前記Ｉ／Ｑミキサに通信可能に結合され、第１の周波数範囲および第２の周波数範囲に関して前記複素中間シグナリングをフィルタリングし、これによって、第１のリアル出力シグナリングと第２のリアル出力シグナリングとをそれぞれ生成するための、フィルタ手段と、
前記第１のリアル出力シグナリングと前記第２のリアル出力シグナリングとを組み合わせることによって、組み合わされたリアル出力シグナリングを生成するための、前記フィルタ手段に通信可能に結合される結合器手段とを備える、装置。
[Ｃ３１]
前記結合器手段が、ベースバンド信号プロセッサに通信可能に結合され、前記組み合わされたリアル出力シグナリングを前記ベースバンド信号プロセッサに提供するための手段を備える、Ｃ３０に記載の装置。
[Ｃ３２]
前記第１の周波数範囲が、前記第１のＧＮＳＳソースから前記入力シグナリングが受信される周波数範囲を備え、前記第２の周波数範囲が、前記第２のＧＮＳＳソースから前記入力シグナリングが受信される周波数範囲を備える、Ｃ３０に記載の装置。
[Ｃ３３]
前記第１の周波数範囲および前記第２の周波数範囲が、システムのベースバンド周波数の反対側に位置し、互いに共役ではない、Ｃ３２に記載の装置。
[Ｃ３４]
前記フィルタ手段が、
前記第２の周波数範囲、および、前記システムのベースバンド周波数に関して前記第２の周波数範囲の反対側において、少なくとも第１のレベルの遮断を提供することによって、前記第１のリアル出力シグナリングを生成するための手段と、
前記第１の周波数範囲、および、前記システムのベースバンド周波数に関して前記第１の周波数範囲の反対側において、少なくとも第２のレベルの遮断を提供することによって、前記第２のリアル出力シグナリングを生成するための手段とを備える、Ｃ３３に記載の装置。
[Ｃ３５]
遮断の前記第１のレベルおよび前記第２のレベルが、前記第１の複素フィルタの出力と前記第２の複素フィルタの出力との周波数の重複が閾値以下となるように定められ、前記閾値が所望のフィルタ出力の信号品質の関数として選ばれる、Ｃ３４に記載の装置。
[Ｃ３６]
前記フィルタ手段がローカル発振器（ＬＯ）の周波数に関して動作し、前記ＬＯの周波数が、前記第１のリアル出力シグナリングを生成するための前記手段と前記第２のリアル出力シグナリングを生成するための前記手段のそれぞれの出力の周波数応答が前記システムのベースバンド周波数において重複しないように、選ばれる、Ｃ３４に記載の装置。
[Ｃ３７]
前記フィルタ手段が、第１の複素フィルタと第２の複素フィルタとを備え、前記第１の複素フィルタが前記第１のリアル出力シグナリングを生成するように構成され、前記第２の複素フィルタが前記第２のリアル出力シグナリングを生成するように構成される、Ｃ３０に記載の装置。
[Ｃ３８]
前記組み合わされたリアル出力シグナリングが出力電流シグナリングを備える、Ｃ３０に記載の装置。
[Ｃ３９]
前記結合器手段に通信可能に結合され、前記出力電流シグナリングを電圧シグナリングに変換するように構成される、トランスインピーダンス増幅器（ＴＩＡ）をさらに備える、Ｃ３８に記載の装置。
[Ｃ４０]
前記結合器手段が、
差動出力シグナリングを取得するために、前記第１のリアル出力シグナリングと前記第２のリアル出力シグナリングとを組み合わせるための手段と、
前記差動出力シグナリングをシングルエンド出力シグナリングに変換するための手段とを備える、Ｃ３０に記載の装置。
[Ｃ４１]
前記第１のＧＮＳＳソースが第１の通信技術と関連付けられ、前記第２のＧＮＳＳソースが第２の通信技術と関連付けられる、Ｃ３０に記載の装置。
[Ｃ４２]
前記第１のＧＮＳＳソースが第１の周波数帯域と関連付けられ、前記第２のＧＮＳＳソースが第２の周波数帯域と関連付けられる、Ｃ３０に記載の装置。
【手続補正書】
【提出日】平成27年12月11日(2015.12.11)
【手続補正１】
【補正対象書類名】特許請求の範囲
【補正対象項目名】全文
【補正方法】変更
【補正の内容】
【特許請求の範囲】
【請求項１】
全地球的ナビゲーション衛星システム（ＧＮＳＳ）信号を処理するための方法であって、
少なくとも第１のＧＮＳＳソースおよび第２のＧＮＳＳソースから入力シグナリングを受信することと、
複素中間シグナリングを取得するために、同相（Ｉ）／直交（Ｑ）ミキサを介して前記入力シグナリングを処理することと、
第１の周波数範囲と関連付けられる第１の複素フィルタおよび第２の周波数範囲と関連付けられる第２の複素フィルタを介して前記複素中間シグナリングをフィルタリングし、これによって、第１のリアル出力シグナリングと第２のリアル出力シグナリングとをそれぞれ取得することと、
前記第１のリアル出力シグナリングと前記第２のリアル出力シグナリングとを組み合わせることによって、組み合わされたリアル出力シグナリングを生成することと、前記組み合わされたリアル出力シグナリングは組み合わされたＩ信号または組み合わされたＱ信号のうちの１つのみを備える、
を備える、方法。
【請求項２】
前記組み合わされたリアル出力シグナリングをベースバンド信号プロセッサに提供することをさらに備える、請求項１に記載の方法。
【請求項３】
前記組み合わされたリアル出力シグナリングを前記ベースバンド信号プロセッサに提供することが、前記組み合わされたリアル出力シグナリングを前記ベースバンド信号プロセッサのアナログデジタルコンバータ（ＡＤＣ）に提供することを備える、請求項２に記載の方法。
【請求項４】
前記第１の周波数範囲が、前記第１のＧＮＳＳソースから前記入力シグナリングが受信される周波数範囲を備え、前記第２の周波数範囲が、前記第２のＧＮＳＳソースから前記入力シグナリングが受信される周波数範囲を備える、請求項１に記載の方法。
【請求項５】
前記第１の周波数範囲および前記第２の周波数範囲が、システムのベースバンド周波数の反対側に位置し、互いに共役ではない、請求項４に記載の方法。
【請求項６】
前記フィルタリングすることが、
前記第１の複素フィルタを介して、前記第２の周波数範囲、および、前記システムのベースバンド周波数に関して前記第２の周波数範囲の反対側において、少なくとも第１のレベルの遮断を提供することと、
前記第２の複素フィルタを介して、前記第１の周波数範囲、および、前記システムのベースバンド周波数に関して前記第１の周波数範囲の反対側において、少なくとも第２のレベルの遮断を提供することとを備える、請求項５に記載の方法。
【請求項７】
前記第１の複素フィルタと前記第２の複素フィルタの出力との周波数の重複が閾値以下となるように、前記第１のレベルの遮断と前記第２のレベルの遮断とを定めることをさらに備え、前記閾値が所望のフィルタ出力の信号品質の関数として選ばれる、請求項６に記載の方法。
【請求項８】
前記フィルタリングすることが、ローカル発振器（ＬＯ）の周波数において動作するように前記第１の複素フィルタと前記第２の複素フィルタとを構成することを備え、前記ＬＯの周波数が、前記第１の複素フィルタおよび前記第２の複素フィルタのそれぞれの出力の周波数応答が前記システムのベースバンド周波数において重複しないように選ばれる、請求項５に記載の方法。
【請求項９】
前記組み合わせることが、組み合わされた電流シグナリングを取得するために、前記第１のリアル出力シグナリングと前記第２のリアル出力シグナリングとを電流において組み合わせることを備える、請求項１に記載の方法。
【請求項１０】
トランスインピーダンス増幅器（ＴＩＡ）を介して、前記組み合わされた電流シグナリングを電圧シグナリングに変換することをさらに備える、請求項９に記載の方法。
【請求項１１】
前記組み合わせることが、
差動出力シグナリングを取得するために、前記第１のリアル出力シグナリングと前記第２のリアル出力シグナリングとを組み合わせることと、
前記差動出力シグナリングをシングルエンド出力シグナリングに変換することとを備える、請求項１に記載の方法。
【請求項１２】
前記第１のＧＮＳＳソースが第１の通信技術と関連付けられ、前記第２のＧＮＳＳソースが第２の通信技術と関連付けられる、請求項１に記載の方法。
【請求項１３】
前記第１の通信技術が全地球測位システム（ＧＰＳ）を備え、前記第２の通信技術がＧｌｏｎａｓｓを備える、請求項１２に記載の方法。
【請求項１４】
前記第１のＧＮＳＳソースが第１の周波数帯域と関連付けられ、前記第２のＧＮＳＳソースが第２の周波数帯域と関連付けられる、請求項１に記載の方法。
【請求項１５】
前記第１の周波数帯域がＬ１周波数帯域を備え、前記第２の周波数帯域がＬ２周波数帯域を備える、請求項１４に記載の方法。
【請求項１６】
コンカレントマルチシステム全地球的ナビゲーション衛星システム（ＧＮＳＳ）受信機であって、
少なくとも第１のＧＮＳＳソースおよび第２のＧＮＳＳソースから入力シグナリングを受信するように構成される少なくとも１つのＧＮＳＳアンテナと、
前記少なくとも１つのＧＮＳＳアンテナに通信可能に結合され、複素中間シグナリングを取得するために前記入力シグナリングを処理するように構成される、同相（Ｉ）／直交（Ｑ）ミキサと、
前記Ｉ／Ｑミキサに通信可能に結合され、第１のリアル出力シグナリングを取得するために第１の周波数範囲に関して前記複素中間シグナリングをフィルタリングするように構成される、第１の複素フィルタと、
前記Ｉ／Ｑミキサに通信可能に結合され、第２のリアル出力シグナリングを取得するために第２の周波数範囲に関して前記複素中間シグナリングをフィルタリングするように構成される、第２の複素フィルタと、
前記第１の複素フィルタおよび前記第２の複素フィルタに通信可能に結合され、前記第１のリアル出力シグナリングと前記第２のリアル出力シグナリングとを組み合わせることによって組み合わされたリアル出力シグナリングを生成するように構成される、信号結合器と、前記組み合わされたリアル出力シグナリングは組み合わされたＩ信号または組み合わされたＱ信号のうちの１つのみを備える、
を備える、受信機。
【請求項１７】
前記信号結合器が、ベースバンド信号プロセッサに通信可能に結合され、前記組み合わされたリアル出力シグナリングを前記ベースバンド信号プロセッサに提供するように構成される、請求項１６に記載の受信機。
【請求項１８】
前記第１の周波数範囲が、前記第１のＧＮＳＳソースから前記入力シグナリングが受信される周波数範囲を備え、前記第２の周波数範囲が、前記第２のＧＮＳＳソースから前記入力シグナリングが受信される周波数範囲を備える、請求項１６に記載の受信機。
【請求項１９】
前記第１の周波数範囲および前記第２の周波数範囲が、システムのベースバンド周波数の反対側に位置し、互いに共役ではない、請求項１８に記載の受信機。
【請求項２０】
前記第１の複素フィルタが、前記第２の周波数範囲、および、前記システムのベースバンド周波数に関して前記第２の周波数範囲の反対側において、少なくとも第１のレベルの遮断を提供するように構成され、
前記第２の複素フィルタが、前記第１の周波数範囲、および、前記システムのベースバンド周波数に関して前記第１の周波数範囲の反対側において、少なくとも第２のレベルの遮断を提供するように構成される、請求項１９に記載の受信機。
【請求項２１】
前記第１のレベルの遮断および前記第２のレベルの遮断が、前記第１の複素フィルタと前記第２の複素フィルタの出力との周波数の重複が閾値以下となるように定められ、前記閾値が所望のフィルタ出力の信号品質の関数として選ばれる、請求項２０に記載の受信機。
【請求項２２】
前記第１の複素フィルタおよび前記第２の複素フィルタが、ローカル発振器（ＬＯ）の周波数に関して動作するように構成され、前記ＬＯの周波数が、前記第１の複素フィルタおよび前記第２の複素フィルタのそれぞれの出力の周波数応答が前記システムのベースバンド周波数において重複しないように選ばれる、請求項１９に記載の受信機。
【請求項２３】
前記信号結合器がさらに、前記第１のリアル出力シグナリングと前記第２のリアル出力シグナリングとを組み合わせることによって、組み合わされた出力電流シグナリングを生成するように構成される、請求項１６に記載の受信機。
【請求項２４】
前記信号結合器に通信可能に結合され、前記組み合わされた出力電流シグナリングを組み合わされた出力電圧シグナリングに変換するように構成される、トランスインピーダンス増幅器（ＴＩＡ）をさらに備える、請求項２３に記載の受信機。
【請求項２５】
前記信号結合器がさらに、前記第１のリアル出力シグナリングと前記第２のリアル出力シグナリングとを組み合わせることによって、差動出力シグナリングを生成するように構成され、
前記受信機がさらに、前記信号結合器に通信可能に結合され、前記差動出力シグナリングをシングルエンド出力シグナリングに変換するように構成される、変換段を備える、請求項１６に記載の受信機。
【請求項２６】
前記差動出力シグナリングが差動電流信号であり、
前記信号結合器に通信可能に結合され、前記差動電流信号を差動電圧信号に変換するように構成される、トランスインピーダンス増幅器（ＴＩＡ）をさらに備え、
前記変換段が、前記差動電圧信号をシングルエンド電圧信号に変換するように構成される電圧変換器を備える、請求項２５に記載の受信機。
【請求項２７】
前記差動出力シグナリングが差動電流信号であり、
前記変換段が、前記差動電流信号をシングルエンド電流信号に変換するように構成される電流結合器を備える、請求項２５に記載の受信機。
【請求項２８】
前記第１のＧＮＳＳソースが第１の通信技術と関連付けられ、前記第２のＧＮＳＳソースが第２の通信技術と関連付けられる、請求項１６に記載の受信機。
【請求項２９】
前記第１のＧＮＳＳソースが第１の周波数帯域と関連付けられ、前記第２のＧＮＳＳソースが第２の周波数帯域と関連付けられる、請求項１６に記載の受信機。
【請求項３０】
全地球的ナビゲーション衛星システム（ＧＮＳＳ）信号を受信するための装置であって、
少なくとも第１のＧＮＳＳソースおよび第２のＧＮＳＳソースから入力シグナリングを受信するように構成される少なくとも１つのＧＮＳＳアンテナと、
前記少なくとも１つのＧＮＳＳアンテナに通信可能に結合され、複素中間シグナリングを取得するために前記入力シグナリングを処理するように構成される、同相（Ｉ）／直交（Ｑ）ミキサと、
第１の周波数範囲および第２の周波数範囲に関して前記複素中間シグナリングをフィルタリングするための手段と、これによって、第１のリアル出力シグナリングと第２のリアル出力シグナリングとをそれぞれ生成し、前記フィルタリングするための手段は、前記Ｉ／Ｑミキサに通信可能に結合される、
前記第１のリアル出力シグナリングと前記第２のリアル出力シグナリングとを組み合わせることによって、組み合わされたリアル出力シグナリングを生成するための手段と、前記組み合わされたリアル出力シグナリングは組み合わされたＩ信号または組み合わされたＱ信号のうちの１つのみを備え、前記生成するための手段は前記フィルタリングするための手段に通信可能に結合される、
を備える、装置。
【請求項３１】
前記結合するための手段が、ベースバンド信号プロセッサに通信可能に結合され、前記組み合わされたリアル出力シグナリングを前記ベースバンド信号プロセッサに提供するための手段を備える、請求項３０に記載の装置。
【請求項３２】
前記第１の周波数範囲が、前記第１のＧＮＳＳソースから前記入力シグナリングが受信される周波数範囲を備え、前記第２の周波数範囲が、前記第２のＧＮＳＳソースから前記入力シグナリングが受信される周波数範囲を備える、請求項３０に記載の装置。
【請求項３３】
前記第１の周波数範囲および前記第２の周波数範囲が、システムのベースバンド周波数の反対側に位置し、互いに共役ではない、請求項３２に記載の装置。
【請求項３４】
前記フィルタリングするための手段が、
前記第２の周波数範囲、および、前記システムのベースバンド周波数に関して前記第２の周波数範囲の反対側において、少なくとも第１のレベルの遮断を提供することによって、前記第１のリアル出力シグナリングを生成するための手段と、
前記第１の周波数範囲、および、前記システムのベースバンド周波数に関して前記第１の周波数範囲の反対側において、少なくとも第２のレベルの遮断を提供することによって、前記第２のリアル出力シグナリングを生成するための手段とを備える、請求項３３に記載の装置。
【請求項３５】
前記第１のレベルの遮断および前記第２のレベルの遮断が、前記第１のリアル出力シグナリングを生成するための手段と前記第２のリアル出力シグナリングを生成するための手段のそれぞれの出力との周波数の重複が閾値以下となるように定められ、前記閾値が所望のフィルタ出力の信号品質の関数として選ばれる、請求項３４に記載の装置。
【請求項３６】
前記フィルタリングするための手段がローカル発振器（ＬＯ）の周波数に関して動作し、前記ＬＯの周波数が、前記第１のリアル出力シグナリングを生成するための前記手段と前記第２のリアル出力シグナリングを生成するための前記手段のそれぞれの出力の周波数応答が前記システムのベースバンド周波数において重複しないように、選ばれる、請求項３４に記載の装置。
【請求項３７】
前記フィルタリングするための手段が、第１の複素フィルタと第２の複素フィルタとを備え、前記第１の複素フィルタが前記第１のリアル出力シグナリングを生成するように構成され、前記第２の複素フィルタが前記第２のリアル出力シグナリングを生成するように構成される、請求項３０に記載の装置。
【請求項３８】
前記組み合わされたリアル出力シグナリングが出力電流シグナリングを備える、請求項３０に記載の装置。
【請求項３９】
前記結合するための手段に通信可能に結合され、前記出力電流シグナリングを電圧シグナリングに変換するように構成される、トランスインピーダンス増幅器（ＴＩＡ）をさらに備える、請求項３８に記載の装置。
【請求項４０】
前記結合するための手段が、
差動出力シグナリングを取得するために、前記第１のリアル出力シグナリングと前記第２のリアル出力シグナリングとを組み合わせるための手段と、
前記差動出力シグナリングをシングルエンド出力シグナリングに変換するための手段とを備える、請求項３０に記載の装置。
【請求項４１】
前記第１のＧＮＳＳソースが第１の通信技術と関連付けられ、前記第２のＧＮＳＳソースが第２の通信技術と関連付けられる、請求項３０に記載の装置。
【請求項４２】
前記第１のＧＮＳＳソースが第１の周波数帯域と関連付けられ、前記第２のＧＮＳＳソースが第２の周波数帯域と関連付けられる、請求項３０に記載の装置。
【国際調査報告】
2016517512.tif 000018
2016517512.tif 000019
2016517512.tif 000020